(57)【要約】  ２つ以上の第１の基地局（２００）との間での並列的な無線通信の期間中において、第１の基地局は、２つ以上の第１の基地局のうち１つに対応付けられた第２の基地局（３００）を指定するとともに、第１の通信方式に従う無線通信を一時的に中断して当該指定した第２の基地局についての測定を移動局（１００）へ要求する。第１の基地局は、指定した第２の基地局についての測定結果を受信する。第１の基地局は、第１の通信方式から第２の通信方式へのハンドオーバを移動局へ通知するとともに、指定した第２の基地局を含む２つ以上の第２の基地局が協調して移動局との間で通信を行なう協調モードを開始するための要求を移動局へ通知する。
2011152347.tif 000002
【特許請求の範囲】
【請求項１】
移動局（１００）との間で第１の通信方式に従う無線通信を行なう複数の第１の基地局（２００）と、
前記移動局との間で第２の通信方式に従う無線通信を行なう複数の第２の基地局（３００）とを備え、前記複数の第２の基地局は、前記複数の第１の基地局とそれぞれ対応付けて配置されるとともに、対応付けられた前記第１の基地局と前記第２の基地局との各組においては、両基地局のセル範囲（１０）は実質的に同一となるように構成されており、
前記移動局と２つ以上の前記第１の基地局との間での並列的な無線通信を開始するための手段と、
前記２つ以上の第１の基地局との間での並列的な無線通信の期間中において、前記移動局に対して、前記２つ以上の第１の基地局のうち１つに対応付けられた第２の基地局を指定するとともに、前記第１の通信方式に従う無線通信を一時的に中断して当該指定した第２の基地局についての測定を要求するための手段と、
前記指定した第２の基地局についての測定結果に基づいて、前記第１の通信方式から前記第２の通信方式へのハンドオーバを前記移動局へ通知するとともに、前記指定した第２の基地局を含む２つ以上の前記第２の基地局が協調して前記移動局との間で通信を行なう協調モードを開始するための要求を前記移動局へ通知するための手段とを備える、通信システム。
【請求項２】
前記協調モードを開始するための要求は、前記２つ以上の第２の基地局についての測定結果の前記第２の基地局への報告方法の情報を含む、請求項１に記載の通信システム。
【請求項３】
前記第２の基地局への報告方法の情報は、前記移動局で測定された各チャネルの情報を送信する通信方式の指定を含む、請求項２に記載の通信システム。
【請求項４】
前記２つ以上の第２の基地局についての測定結果に基づいて、当該２つ以上の第２の基地局が協調して通信を行なうことができる複数の形態のうち、いずれか１つを選択する手段をさらに備える、請求項１〜３のいずれか１項に記載の通信システム。
【請求項５】
前記２つ以上の第１の基地局との間での並列的な無線通信の期間中において、前記移動局において測定される前記２つ以上の第１の基地局についての測定結果に基づいて、前記第１の通信方式から前記第２の通信方式へのハンドオーバの要否を判断する手段をさらに備える、請求項１〜３のいずれか１項に記載の通信システム。
【請求項６】
前記移動局は、前記第１の通信方式から前記第２の通信方式へのハンドオーバが通知されると、前記第１の通信方式に従う無線通信を一時的に中断する動作を終了する、請求項１〜３のいずれか１項に記載の通信システム。
【請求項７】
前記２つ以上の第１の基地局との間での並列的な無線通信におけるサービングセルである第１の基地局に対応付けられた第２の基地局が指定される、請求項１〜３のいずれか１項に記載の通信システム。
【請求項８】
移動局（１００）との間で第１の通信方式に従う無線通信を行なう複数の第１の基地局（２００）と、前記移動局との間で第２の通信方式に従う無線通信を行なう複数の第２の基地局（３００）とを備えた通信システムにおける通信方法であって、前記複数の第２の基地局は、前記複数の第１の基地局とそれぞれ対応付けて配置されるとともに、対応付けられた前記第１の基地局と前記第２の基地局との各組においては、両基地局のセル範囲（１０）は実質的に同一となるように構成されており、前記通信方法は、
前記移動局と２つ以上の前記第１の基地局との間での並列的な無線通信を開始するステップ（ＳＱ１００）と、
前記第１の基地局が、前記２つ以上の第１の基地局との間での並列的な無線通信の期間中において、前記移動局に対して、前記２つ以上の第１の基地局のうち１つに対応付けられた第２の基地局を指定するとともに、前記第１の通信方式に従う無線通信を一時的に中断して当該指定した第２の基地局についての測定を要求するステップ（ＳＱ１０４，ＳＱ１１０）と、
前記第１の基地局が、前記指定した第２の基地局についての測定結果を受信するステップ（ＳＱ１１４）と、
前記第１の基地局が、前記第１の通信方式から前記第２の通信方式へのハンドオーバを前記移動局へ通知するとともに、前記指定した第２の基地局を含む２つ以上の前記第２の基地局が協調して前記移動局との間で通信を行なう協調モードを開始するための要求を前記移動局へ通知するステップ（ＳＱ１１８）とを備える、通信方法。
【発明の詳細な説明】
【技術分野】
【０００１】
この発明は、複数の異なる通信方式が並存する通信システムおよびそれにおける通信方法に関し、特に、異なる通信方式の間でのハンドオーバ処理に関するものである。
【背景技術】
【０００２】
現在、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）は、新たな移動体通信技術としてＬＴＥ−Ａ（ＬＴＥ−Ａｄｖａｎｃｅｄ）の標準化を進めている。ＬＴＥ−Ａは、ＬＴＥ（Ｌｏｎｇ  Ｔｅｒｍ  Ｅｖｏｌｕｔｉｏｎ）を発展させた規格である。【０００３】
ＬＴＥでは、移動局は１つの基地局と通信すると定められている。これに対して、ＬＴＥ−Ａでは、複数の基地局が情報を共有し、協調して移動局と通信することが検討されている。このような技術は、多地点協調送受信（Ｃｏｏｒｄｉｎａｔｅｄ  ｍｕｌｔｉｐｌｅ  ｐｏｉｎｔ  ｔｒａｎｓｍｉｓｓｉｏｎ  ａｎｄ  ｒｅｃｅｐｔｉｏｎ：以下「ＣｏＭＰ」とも称する。）と呼ばれている。【０００４】
ＬＴＥ−Ａでは、ＬＴＥと比較して、セルエッジでのユーザスループットやセルスループットを改善することが期待されている（非特許文献１参照）。そこで、下りリンク（回線）および上りリンク（回線）のそれぞれに対して、上述のようなＣｏＭＰを使用することが検討されている。【０００５】
非特許文献２には、ＣｏＭＰを利用する際にも必要な移動局が周辺セルリストを取得する方法が開示されている。また、非特許文献３には、ＬＴＥ−ＡにおけるＣｏＭＰの開始方法の一例が開示されている。また、非特許文献４には、ＬＴＥ−Ａの開始時においては、セルをまたがるＣｏＭＰ（Ｉｎｔｅｒ−ｅＮＢ）については実施せず、セル内のセクタ間（Ｉｎｔｒａ−ｅＮＢ）ＣｏＭＰのみを実施することが提案されている。これらの非特許文献の詳細については、後述する。【０００６】
ＬＴＥおよびＬＴＥ−Ａは、いわゆる第３世代と称される通信方式でサービスを提供しているネットワーク事業者が導入することが想定されている。現実の問題として、ＬＴＥ／ＬＴＥ−Ａの導入にあたり、現在の資産を可能な限り活用して設備コストを低減しようとするのが当然のスタンスである。そのため、ＬＴＥ／ＬＴＥ−Ａの基地局は、現在の基地局と同じ場所（典型的には、同じ機器収納場所）に設置されることが想定されている。【０００７】
このような場合、ＬＴＥ／ＬＴＥ−Ａの基地局のセル範囲が対応する既存の基地局（第３世代）のセル範囲より狭いと、ＬＴＥ／ＬＴＥ−Ａのサービスを利用できない地域が発生してしまう。そのため、一般的には、ＬＴＥ／ＬＴＥ−Ａの基地局のセル範囲は、既存の基地局と同等以上の大きさになるように設計されることになる。【０００８】
既存の第３世代のサービスおよびＬＴＥ／ＬＴＥ−Ａのサービスのいずれをも利用可能な移動局（Ｕｓｅｒ  Ｅｑｕｉｐｍｅｎｔ：通信端末）を用いることで、両通信方式の間でハンドオーバも可能となる。
【先行技術文献】
【非特許文献】
【０００９】
【非特許文献１】３ＧＰＰ  Ｏｒｇａｎｉｚａｔｉｏｎａｌ  Ｐａｒｔｎｅｒｓ，  “３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｆｕｒｔｈｅｒ  Ａｄｖａｎｃｅｍｅｎｔｓ  ｆｏｒ  Ｅ−ＵＴＲＡ  Ｐｈｙｓｉｃａｌ  Ｌａｙｅｒ  Ａｓｐｅｃｔｓ  （Ｒｅｌｅａｓｅ  ９）”，  ３ＧＧＰ  ＴＲ３６．８１４  ｖ１．５．０  （２００９−１１），  ｐｐ．１２−１６  （８．  Ｃｏｏｒｄｉｎａｔｅｄ  ｍｕｌｔｉｐｌｅ  ｐｏｉｎｔ  ｔｒａｎｓｍｉｓｓｉｏｎ  ａｎｄ  ｒｅｃｅｐｔｉｏｎ）
【非特許文献２】３ＧＰＰ  Ｏｒｇａｎｉｚａｔｉｏｎａｌ  Ｐａｒｔｎｅｒｓ，  “３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｒａｄｉｏ  Ｒｅｓｏｕｒｃｅ  Ｃｏｎｔｒｏｌ  （ＲＲＣ）；  Ｐｒｏｔｏｃｏｌ  Ｓｐｅｃｉｆｉｃａｔｉｏｎ  （Ｒｅｌｅａｓｅ  ９）”，  ３ＧＧＰ  ＴＳ２５．３３１  Ｖ９．１．０  （２００９−１２），  ｐｐ．５３−５２０  （８．  ＲＲＣ  ｐｒｏｃｅｄｕｒｅｓ）
【非特許文献３】Ｐａｎａｓｏｎｉｃ，  “ＣｏＭＰ  ｆｅｅｄｂａｃｋ  ｏｖｅｒｈｅａｄ  ｒｅｄｕｃｔｉｏｎ  ｂａｓｅｄ  ｏｎ  ｐｒｅｃｏｄｅｄ  ＲＳ”，  ３ＧＰＰ  ＴＳＧ  ＲＡＮ  ＷＧ１  Ｍｅｅｔｉｎｇ  ＃５８ｂ，  Ｒ１−０９３９４９，  Ｍｉｙａｚａｋｉ，  Ｊａｐａｎ，  １２ｔｈ−１６ｔｈ，  Ｏｃｔｏｂｅｒ，  ２００９
【非特許文献４】ＮＴＴ  ＤＯＣＯＭＯ，  “Ｅｖａｌｕａｔｉｏｎ  Ｓｃｅｎａｒｉｏｓ  ａｎｄ  Ａｓｓｕｍｐｔｉｏｎｓ  ｆｏｒ  Ｉｎｔｒａ−ｅＮＢ  ＣｏＭＰ”，  ３ＧＰＰ  Ｒ１−１００８２０
【発明の概要】
【発明が解決しようとする課題】
【００１０】
たとえば、第３世代のサービスからＬＴＥ−Ａのサービスへハンドオーバをする場合に、ハンドオーバ直後から、ＣｏＭＰを利用した方がより通話／通信品質が向上するようなときもある。しかしながら、現在提案されている技術では、他の通信システムからＬＴＥ−Ａへのハンドオーバ直後からＣｏＭＰを利用することはできなかった。【００１１】
この発明は、かかる問題を解決するためになされたものであり、その目的は、第１の通信方式から第２の通信方式へのハンドオーバ時に、第２の通信方式に従う基地局が２つ以上で協調して移動局と通信を行なうことができる通信システムおよびそれにおける通信方法を提供することである。
【課題を解決するための手段】
【００１２】
この発明のある局面に従う通信システムは、移動局との間で第１の通信方式に従う無線通信を行なう複数の第１の基地局と、移動局との間で第２の通信方式に従う無線通信を行なう複数の第２の基地局とを含む。複数の第２の基地局は、複数の第１の基地局とそれぞれ対応付けて配置されるとともに、対応付けられた第１の基地局と第２の基地局との各組においては、両基地局のセル範囲は実質的に同一となるように構成されている。本通信システムは、さらに、移動局と２つ以上の第１の基地局との間での並列的な無線通信を開始するための手段と、２つ以上の第１の基地局との間での並列的な無線通信の期間中において、移動局に対して、２つ以上の第１の基地局のうち１つに対応付けられた第２の基地局を指定するとともに、第１の通信方式に従う無線通信を一時的に中断して当該指定した第２の基地局についての測定を要求する手段と、指定した第２の基地局についての測定結果に基づいて、第１の通信方式から第２の通信方式へのハンドオーバを移動局へ通知するとともに、指定した第２の基地局を含む２つ以上の第２の基地局が協調して移動局との間で通信を行なう協調モードを開始するための要求を移動局へ通知する手段とを含む。【００１３】
好ましくは、協調モードを開始するための要求は、２つ以上の第２の基地局についての測定結果の第２の基地局への報告方法の情報を含む。【００１４】
さらに好ましくは、第２の基地局への報告方法の情報は、移動局で測定された各チャネルの情報を送信する通信方式の定義を含む。【００１５】
好ましくは、本通信システムは、２つ以上の第２の基地局についての測定結果に基づいて、当該２つ以上の第２の基地局が協調して通信を行なうことができる複数の形態のうち、いずれか１つを選択する手段をさらに含む。【００１６】
好ましくは、本通信システムは、２つ以上の第１の基地局との間での並列的な無線通信の期間中において、移動局において測定される２つ以上の第１の基地局についての測定結
果に基づいて、第１の通信方式から第２の通信方式へのハンドオーバの要否を判断する手段をさらに含む。【００１７】
好ましくは、移動局は、第１の通信方式から第２の通信方式へのハンドオーバが通知されると、第１の通信方式に従う無線通信を一時的に中断する動作を終了する。【００１８】
好ましくは、２つ以上の第１の基地局との間での並列的な無線通信におけるサービングセルである第１の基地局に対応付けられた第２の基地局が指定される。【００１９】
この発明の別の局面に従えば、移動局との間で第１の通信方式に従う無線通信を行なう複数の第１の基地局と、移動局との間で第２の通信方式に従う無線通信を行なう複数の第２の基地局とを備えた通信システムにおける通信方法を提供する。複数の第２の基地局は、複数の第１の基地局とそれぞれ対応付けて配置されるとともに、対応付けられた第１の基地局と第２の基地局との各組においては、両基地局のセル範囲は実質的に同一となるように構成されている。本通信方法は、移動局と２つ以上の第１の基地局との間での並列的な無線通信を開始するステップと、第１の基地局が、２つ以上の第１の基地局との間での並列的な無線通信の期間中において、移動局に対して、２つ以上の第１の基地局のうち１つに対応付けられた第２の基地局を指定するとともに、第１の通信方式に従う無線通信を一時的に中断して当該指定した第２の基地局についての測定を要求するステップと、第１の基地局が、指定した第２の基地局についての測定結果を受信するステップと、第１の基地局が、第１の通信方式から第２の通信方式へのハンドオーバを移動局へ通知するとともに、指定した第２の基地局を含む２つ以上の第２の基地局が協調して移動局との間で通信を行なう協調モードを開始するための要求を移動局へ通知するステップとを含む。
【発明の効果】
【００２０】
この発明によれば、第１の通信方式から第２の通信方式へのハンドオーバ時に、第２の通信方式に従う基地局が２つ以上で協調して移動局と通信を行なうことができる。
【図面の簡単な説明】
【００２１】
【図１】本発明の実施の形態において想定している既存の通信システムのセル配置を説明するための図である。
【図２】図１に示す既存の通信システムのセル配置に対して、新たな通信システムを設置する場合を説明するための図である。
【図３】本発明の実施の形態に従う通信システムを実現するためのネットワーク構成を示す図である。
【図４】本発明の実施の形態に従う通信システムにおいて利用される基地局のブロック図である。
【図５】本発明の実施の形態に従う通信システムにおいて利用される移動局のブロック図である。
【図６】ＬＴＥ方式およびＬＴＥ−Ａ方式における物理レイヤについて説明するための図である。
【図７】ＬＴＥ−ＡにおけるＣｏＭＰ動作を説明するための図（その１）である。
【図８】ＬＴＥ−ＡにおけるＣｏＭＰ動作を説明するための図（その２）である。
【図９】ＬＴＥ−Ａにおける開始時の処理の動作例を示すシーケンス図である。
【図１０】ＬＴＥ−ＡにおけるＭｅａｓｕｒｅｍｅｎｔ  ｓｅｔとＣｏＭＰ  ｒｅｐｏｒｔｉｎｇ  ｓｅｔとの関係を示す図である。
【図１１】Ｗ−ＣＤＭＡにおけるＳＨＯ動作を説明するための図である。
【図１２】Ｗ−ＣＤＭＡにおけるＣｏｍｐｒｅｓｓｅｄ  Ｍｏｄｅを説明するための図である。
【図１３】移動局がＷ−ＣＤＭＡのシステム通信中にＬＴＥ−Ａのシステムへハンドオーバする場合の位置関係を模式的に示す図である。
【図１４】本発明の実施の形態に関連するＷ−ＣＤＭＡ方式からＬＴＥ−Ａ方式へのハンドオーバ処理の動作例を示すシーケンス図である。
【図１５】本発明の実施の形態に従うＷ−ＣＤＭＡ方式からＬＴＥ−Ａ方式へのハンドオーバ処理（ＣｏＭＰ有効化）の動作例を示すシーケンス図である。
【図１６】本発明の実施の形態に従うＷ−ＣＤＭＡ方式からＬＴＥ−Ａ方式へのハンドオーバ処理（ＣｏＭＰ無効化）の動作例を示すシーケンス図である。
【発明を実施するための形態】
【００２２】
この発明の実施の形態について、図面を参照しながら詳細に説明する。なお、図中の同一または相当部分については、同一符号を付してその説明は繰返さない。
【００２３】
＜Ａ．システム構成＞
図１は、本発明の実施の形態において想定している既存の通信システムのセル配置を説明するための図である。図２は、図１に示す既存の通信システムのセル配置に対して、新たな通信システムを設置する場合を説明するための図である。
【００２４】
本実施の形態においては、典型的な一例として、既存の通信システム（第１の通信方式）として「Ｗ−ＣＤＭＡ方式」を想定し、新たに設置する通信システム（第２の通信方式）として「ＬＴＥ−Ａ方式」を想定する。本明細書において、「ＬＴＥ−Ａ方式」には、後方互換性を有する「ＬＴＥ方式」を含み得る。
【００２５】
本発明は、上述の例に限られることなく、複数の移動局の間、または、ある移動局に含まれる複数のセクタの間で協調送受信が可能な通信システムであれば、どのような通信方式にも適用可能である。
【００２６】
たとえば、図１に示すように、各々が所定のセル範囲を有するセル１０−１，１０−２，…，１０−Ｎ（以下「セル１０」とも総称する。）がレイアウトされた通信システムを考える。セル１０−１，１０−２，…，１０−Ｎには、Ｗ−ＣＤＭＡ方式の基地局２００−１，２００−２，…，２００−Ｎ（以下「基地局２００」とも総称する。）がそれぞれ設置される。なお、セル１０についてのセル範囲は、対応する基地局２００の送信電力の大きさに依存する。
【００２７】
一方、通信端末である移動局１００は、自端末が存在するセルの基地局２００、および、当該セルに隣接するセルの基地局２００のうち、少なくとも１つとの間で無線通信を行なうことで、相手先との間の通信／通話を提供する。なお、以下の説明では、移動局１００と相手先（あるいは、中継先）とのデータ通信、および、移動局１００と相手先（あるいは、中継先）との音声通話などを総括して「通信」とも称し、「通信」されるデータを「ユーザデータ」とも称する。
【００２８】
ここで、図１に示すようなＷ−ＣＤＭＡ方式の通信システムが存在する場合、ＬＴＥ−Ａ方式の通信システムをさらに設置することを考える。この場合、既存のＷ−ＣＤＭＡ方式のサービスを提供しているネットワーク事業者は、このＬＴＥ−Ａ方式の通信システムを導入するにあたって、当然に、現在の資産（Ｗ−ＣＤＭＡ方式の通信システム）を可能な限り利用して設備コストを低減しようとする。
【００２９】
そのため、当該ネットワーク事業者は、一般的には、図２に示すように、既存のＷ−ＣＤＭＡ方式の通信システムにおいて設定されている基地局２００−１，２００−２，…，２００−Ｎとそれぞれ同じ場所（セル１０−１，１０−２，…，１０−Ｎ）に、ＬＴＥ方式の基地局３００−１，３００−２，…，３００−Ｎを設置することになる。すなわち、Ｗ−ＣＤＭＡ方式の基地局２００−１がカバーするセル１０−１と実質的に同じ範囲をＬＴＥ方式の基地局３００−１がカバーするように設置および設定される。
【００３０】
また、図２に示す通信システムにおいては、Ｗ−ＣＤＭＡ方式およびＬＴＥ−Ａ方式のいずれにも対応可能（デュアル方式）の移動局１００が用いられる。
【００３１】
以下の説明では、図２に示すような２つの通信方式が並存する通信システムを前提としてその詳細について論じる。
【００３２】
すなわち、図２に示す本実施の形態に従う通信システムは、移動局１００との間でＷ−ＣＤＭＡ（第１の通信方式）に従う無線通信を行なう複数の基地局２００と、移動局１００との間でＬＴＥ−Ａ（第２の通信方式）に従う無線通信を行なう複数の基地局３００とを含む。ＬＴＥ−Ａの基地局３００．１，３００−２，…，３００−Ｎは、Ｗ−ＣＤＭＡの基地局２００−１，２００−２，…，２００−Ｎとそれぞれ対応付けて配置される。対応付けられた基地局２００と基地局３００との各組においては、両基地局のセル範囲は実質的に同一となるように構成されている。
【００３３】
この通信システムにおいては、移動局１００は、（通信状況などに応じて）Ｗ−ＣＤＭＡ方式による通信とＬＴＥ−Ａ方式による通信とを相互に切換えることのできる機能（ハンドオーバ）を利用することができる。なお、このような異なる通信システム間でのハンドオーバを、同一の通信システム内でのハンドオーバ（Ｉｎｔｒａ−ＲＡＴ（Ｒａｄｉｏ  Ａｃｃｅｓｓ  Ｔｅｃｈｎｏｌｏｇｙ）ハンドオーバ）と対比する意味で、「Ｉｎｔｅｒ−ＲＡＴハンドオーバ」とも称する。
【００３４】
すなわち、本実施の形態に従う通信システムにおいては、Ｗ−ＣＤＭＡ方式からＬＴＥ−Ａ方式への切換え、および／または、ＬＴＥ−Ａ方式からＷ−ＣＤＭＡ方式への切換えが可能である。このＩｎｔｅｒ−ＲＡＴハンドオーバ処理においては、一般的には、その直前に行なわれていた移動局１００と相手先との間の通信は維持される。すなわち、Ｉｎｔｅｒ−ＲＡＴハンドオーバ処理は、移動局１００との間で無線通信を確立する相手先を基地局２００と基地局３００との間で切換えるものである。これは、移動局１００のユーザから見れば、Ｉｎｔｅｒ−ＲＡＴハンドオーバ処理が実行されたことを知ることなく、通話またはデータ通信を継続することができることを意味する。
【００３５】
＜Ｂ．基地局２００，３００の構成＞
図３は、本発明の実施の形態に従う通信システムを実現するためのネットワーク構成を示す図である。図４は、本発明の実施の形態に従う通信システムにおいて利用される基地局２００，３００のブロック図である。
【００３６】
図３を参照して、Ｗ−ＣＤＭＡ方式の複数の基地局２００およびＴＬＥ−Ａ方式の複数の基地局３００は、互いにＩｎｔｅｒ−ＲＡＴハンドオーバ処理ができるように、互いに共通のネットワーク２０に接続されている。図３に示す構成例においては、ネットワーク２０内に複数の交換機２１，２２，２３，…が接続されている。これらの交換機のうち、Ｗ−ＣＤＭＡ方式の基地局２００は交換機２１と接続されており、ＬＴＥ−Ａ方式の基地局３００は交換機２２と接続されているものとする。
【００３７】
これらの交換機２１，２２，２３，…との間、または、より上位に基幹ネットワークに接続されている交換機（図示しない）との間でユーザデータが順次中継されることで、移動局１００と相手先との間の通信／通話が提供される。
【００３８】
また、Ｗ−ＣＤＭＡ方式の基地局２００の間では、後述するようなハンドオーバやローミングを行なうための制御データを遣り取りするために、制御ネットワーク４２を介して互いにデータ通信可能に構成される。この制御ネットワーク４２には、さらに、無線ネットワーク制御装置（ＲＮＣ：Ｒａｄｉｏ  Ｎｅｔｗｏｒｋ  Ｃｏｎｔｒｏｌｌｅｒ）４０が接続される。基本的には、この無線ネットワーク制御装置４０がハンドオーバやローミングの許否を判断する。
【００３９】
同様に、ＬＴＥ−Ａ方式の基地局３００の間についても、後述するようなＣｏＭＰやローミングを行なうための制御データを遣り取りするために、制御ネットワーク４６を介して互いにデータ通信可能に構成される。なお、ＣｏＭＰを確立する際には、関連する基地局３００の間で直接的に制御データを遣り取りしてネゴシエーションしてもよいし、あるいは、Ｗ−ＣＤＭＡ方式のように、無線ネットワーク制御装置４４を介して判断するようにしてもよい。後者の場合には、無線ネットワーク制御装置４４が制御ネットワーク４６に接続されることとなる。
【００４０】
さらに、本実施の形態に従う通信システムにおいては、Ｗ−ＣＤＭＡ方式とＬＴＥ−Ａ方式との間でＩｎｔｅｒ−ＲＡＴハンドオーバできるように、制御ネットワーク４２と制御ネットワーク４６との間は、ゲートウェイ３０を介して接続される。
【００４１】
本実施の形態に従う通信システムにおいてＩｎｔｅｒ−ＲＡＴハンドオーバが実施される際には、Ｗ−ＣＤＭＡ側の無線ネットワーク制御装置４０と、ＬＴＥ−Ａ側の基地局３００または無線ネットワーク制御装置４４との間で制御データが遣り取りされ、その結果に基づいて、Ｉｎｔｅｒ−ＲＡＴハンドオーバの許否などが判断される。
【００４２】
なお、図３には、説明を容易化するために、音声などを搬送するネットワーク２０と無線アクセスを制御するための制御ネットワーク４２，５２とが独立して設けられた構成を示したが、いわゆるオールＩＰ化された場合には、これらのネットワークを共通化した構成を採用することもできる。さらに、各種のパケット転送技術などを用いて、より複雑なネットワーク構成を採用することもできる。
【００４３】
図４を参照して、Ｗ−ＣＤＭＡ方式の基地局２００の各々は、制御部２１０と、送信部２２２と、受信部２２４と、送信用アンテナ２３２と、受信用アンテナ２３４と、交換機インターフェイス（Ｉ／Ｆ）２４０と、制御インターフェイス（Ｉ／Ｆ）２５０とを含む。
【００４４】
制御部２１０は、プロセッサ２１２と、メモリ２１４と、記憶部２１６とを含み、基地局２００の全体を制御する。メモリ２１４は、プログラムや送受信される各種データを保持しており、プロセッサ２１２は、メモリ２１４に保持される各種データを用いて各種処理を実行する。記憶部２１６には、各基地局２００の周辺に位置する他の基地局２００のリスト（周辺セルリスト２１８）や移動局１００のローケーションデータを保持している。プロセッサ２１２は、この周辺セルリスト２１８を参照して、（Ｉｎｔｅｒ−ＲＡＴおよびＩｎｔｒａ−ＲＡＴ）ハンドオーバやローミングなどの処理を行なう。
【００４５】
送信部２２２は、送信用アンテナ２３２と接続されており、制御部２１０から受信したユーザデータまたは制御データに応じた無線信号を生成するとともに、送信用アンテナ２３２からその無線信号を放射する。
【００４６】
受信部２２４は、受信用アンテナ２３４を介して移動局１００から受信した無線信号をユーザデータまたは制御データに復調して、その復調したデータを制御部２１０へ出力する。
【００４７】
交換機インターフェイス２４０は、自局の上位に接続された交換機２１（図３参照）との間でユーザデータを遣り取りする。同様に、制御インターフェイス２５０は、自局が接続された制御ネットワーク４２（図３参照）を介して、無線ネットワーク制御装置４０または他の基地局２００との間で制御データを遣り取りする。
【００４８】
ＬＴＥ−Ａ方式の基地局３００についても、上述の基地局２００と同様の構成であるので、詳細な説明は繰返さない。
【００４９】
＜Ｃ．移動局１００の構成＞
図５は、本発明の実施の形態に従う通信システムにおいて利用される移動局１００のブロック図である。
【００５０】
図５を参照して、移動局１００は、無線信号を送信するための送信アンテナ１０２と、無線信号を受信するための受信アンテナ１０４とが設けられた筐体１１０を含む。筐体１１０は、切換制御部１１２と、Ｗ−ＣＤＭＡ制御部１１４と、ＬＴＥ−Ａ制御部１１６と、送信モジュール１３０と、受信モジュール１４０とを含む。送信モジュール１３０は、Ｗ−ＣＤＭＡ送信部１３２と、ＬＴＥ−Ａ送信部１３４とを含む。また、受信モジュール１４０は、Ｗ−ＣＤＭＡ受信部１４２と、ＬＴＥ−Ａ受信部１４４とを含む。
【００５１】
切換制御部１１２は、後述するように、Ｗ−ＣＤＭＡ方式とＬＴＥ−Ａ方式との切換制御を行なう部位であり、Ｗ−ＣＤＭＡ制御部１１４およびＬＴＥ−Ａ制御部１１６との間で遣り取りされる制御データに基づいて、送信モジュール１３０および受信モジュール１４０に対して、Ｗ−ＣＤＭＡ方式およびＬＴＥ−Ａ方式のうちいずれを有効化するかについて指令を与える。
【００５２】
Ｗ−ＣＤＭＡ制御部１１４は、Ｗ−ＣＤＭＡ方式に従う通信を制御する。より具体的には、Ｗ−ＣＤＭＡ制御部１１４は、送信モジュール１３０のＷ−ＣＤＭＡ送信部１３２に対して、送信すべきユーザデータまたは制御データを出力するとともに、受信モジュール１４０のＷ−ＣＤＭＡ受信部１４２で受信および復号されたデータを受信する。
【００５３】
ＬＴＥ−Ａ制御部１１６は、ＬＴＥ−Ａ方式に従う通信を制御する。より具体的には、ＬＴＥ−Ａ制御部１１６は、送信モジュール１３０のＬＴＥ−Ａ送信部１３４に対して、送信すべきユーザデータまたは制御データを出力するとともに、受信モジュール１４０のＬＴＥ−Ａ受信部１４４で受信および復号されたデータを受信する。
【００５４】
送信モジュール１３０は、スイッチ１３６を含んでおり、切換制御部１１２からの指令に従って、Ｗ−ＣＤＭＡ送信部１３２およびＬＴＥ−Ａ送信部１３４のいずれか一方を用いて、基地局２００または３００に向けて無線信号を送信する。すなわち、切換制御部１１２は、移動局１００と基地局２００または３００との間に確立される制御チャネル上の制御データなどに基づいて、基地局に向けてＷ−ＣＤＭＡ方式およびＬＴＥ−Ａ方式のいずれの無線信号を送信すべきかを事前に判断しておき、スイッチ１３６を適切に切換える。Ｗ−ＣＤＭＡ方式の無線信号を送信しなければならない場合には、Ｗ−ＣＤＭＡ送信部１３２が符号化および変調を行なって、その結果を送信アンテナ１０２から放射する。一方、ＬＴＥ−Ａ方式の無線信号を送信しなければならない場合には、ＬＴＥ−Ａ送信部１３４が符号化および変調を行なって、その結果を送信アンテナ１０２から放射する。
【００５５】
受信モジュール１４０は、スイッチ１４６を含んでおり、基地局２００または３００から受信した無線信号は、切換制御部１１２からの指令に従って、Ｗ−ＣＤＭＡ受信部１４２およびＬＴＥ−Ａ受信部１４４のいずれか一方へ渡される。すなわち、切換制御部１１２は、移動局１００と基地局２００または３００との間に確立される制御チャネル上の制御データなどに基づいて、基地局からＷ−ＣＤＭＡ方式およびＬＴＥ−Ａ方式のいずれの無線信号が送信されるかを事前に判断しておき、スイッチ１４６を適切に切換える。Ｗ−ＣＤＭＡ方式の無線信号を受信した場合には、Ｗ−ＣＤＭＡ受信部１４２が復調および復号を行なって、その結果をＷ−ＣＤＭＡ制御部１１４へ出力する。一方、ＬＴＥ−Ａ方式の無線信号を受信した場合には、ＬＴＥ−Ａ受信部１４４が復調および復号を行なって、その結果をＬＴＥ−Ａ制御部１１６へ出力する。
【００５６】
なお、切換制御部１１２、Ｗ−ＣＤＭＡ制御部１１４、ＬＴＥ−Ａ制御部１１６、送信モジュール１３０、および、受信モジュール１４０については、その機能の全部または一部をソフトウェアとして実装してもよい。この場合には、ＣＰＵ（Ｃｅｎｔｒａｌ  Ｐｒｏｃｅｓｓｉｎｇ  Ｕｎｉｔ）やＤＳＰ（Ｄｉｇｉｔａｌ  Ｓｉｇｎａｌ  Ｐｒｏｃｅｓｓｏｒ）といった演算装置（プロセッサ）が予めインストールされた命令セットを実行する。このような場合には、プロセッサ、メモリ、周辺デバイス用のコントローラといった部品を１チップ化したＳｏＣ（Ｓｙｓｔｅｍ  Ｏｎ  ａ  Ｃｈｉｐ）を利用することもできる。あるいは、これらの部位の全部または一部を専用のハードウェアとして実装してもよい。
【００５７】
筐体１１０は、さらに、各種情報を表示するための表示部１１８と、ユーザの音声などを取得するためのマイク１２０と、受信した音声を再生するためのスピーカ１２２と、ユーザ操作を受付けるための入力部１２４とを含む。これらの部位は、典型的には、筐体１１０から露出するように配置される。
【００５８】
＜Ｄ．ＬＴＥ／ＬＴＥ−Ａにおける物理レイヤ＞
次に、図６を参照して、ＬＴＥ方式およびＬＴＥ−Ａ方式における物理レイヤについて説明する。ＬＴＥ方式およびＬＴＥ−Ａ方式における物理レイヤとしては、物理チャネル（下りおよび上り）ならびに物理シグナル（下りおよび上り）が定義されている。
【００５９】
［１．物理チャネル（下り）］
下りの物理チャネル５０としては、６種類の物理チャネル５１〜５６が定義されている。
【００６０】
（１ａ）  ＰＤＳＣＨ（Ｐｈｙｓｉｃａｌ  Ｄｏｗｎｌｉｎｋ  Ｓｈａｒｅｄ  Ｃｈａｎｎｅｌ：下り共有チャネル）
ＰＤＳＣＨでは、主として、ユーザデータおよび制御データが送信される。
【００６１】
（１ｂ）  ＰＢＣＨ（Ｐｈｙｓｉｃａｌ  Ｂｒｏａｄｃａｓｔ  Ｃｈａｎｎｅｌ：ブロードキャスト・チャネル）
ＰＢＣＨでは、報知情報が送信される。
【００６２】
（１ｃ）  ＰＭＣＨ（Ｐｈｙｓｉｃａｌ  Ｍｕｌｔｉｃａｓｔ  Ｃｈａｎｎｅｌ：マルチキャスト・チャネル）
ＰＭＣＨでは、放送などのマルチキャストデータが送信される。
【００６３】
（１ｄ）  ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ：制御フォーマット・インディケータ・チャネル）
ＰＣＦＩＣＨでは、ＰＤＣＣＨのシンボル数が通知される。
【００６４】
（１ｅ）  ＰＤＣＣＨ（Ｐｈｙｓｉｃａｌ  Ｄｏｗｎｌｉｎｋ  Ｃｏｎｔｒｏｌ  Ｃｈａｎｎｅｌ：下り制御チャネル）
ＰＤＣＣＨでは、ＰＤＳＣＨおよびＰＵＳＣＨのスケジューリング、ならびに、ＴＰＣ（Ｔｒａｎｓｍｉｓｓｉｏｎ  Ｐｏｗｅｒ  Ｃｏｎｔｒｏｌ：送信電力制御）コマンドなどが送信される。
【００６５】
（１ｆ）  ＰＨＩＣＨ（Ｐｈｙｓｉｃａｌ  Ｈｙｂｒｉｄ  ＡＲＱ  Ｉｎｄｉｃａｔｏｒ  Ｃｈａｎｎｅｌ：ハイブリッドＡＲＱインディケータ・チャネル）
ＰＨＩＣＨでは、ＰＵＳＣＨに対するＨＡＲＱ（Ｈｙｂｒｉｄ  Ａｕｔｏｍａｔｉｃ  Ｒｅｐｅａｔ  ｒｅＱｕｅｓｔ：ハイブリッド自動再送要求）のＡＣＫ／ＮＡＣＫが送信される。
【００６６】
［２．物理チャネル（上り）］
上りの物理チャネル６０としては、３種類の物理チャネル６１〜６３が定義されている。
【００６７】
（２ａ）  ＰＵＳＣＨ（Ｐｈｙｓｉｃａｌ  Ｕｐｌｉｎｋ  Ｓｈａｒｅｄ  Ｃｈａｎｎｅｌ：上り共有チャネル）
ＰＵＳＣＨでは、主として、ユーザデータおよび制御データが送信される。
【００６８】
（２ｂ）  ＰＵＣＣＨ（Ｐｈｙｓｉｃａｌ  Ｕｐｌｉｎｋ  Ｃｏｎｔｒｏｌ  Ｃｈａｎｎｅｌ：上り制御チャネル）
ＰＵＣＣＨでは、ＰＤＳＣＨに対するＨＡＲＱのＡＣＫ／ＮＡＣＫ、ＣＱＩ（Ｃｈａｎｎｅｌ  Ｑｕａｌｉｔｙ  Ｉｎｆｏｒｍａｔｉｏｎ：チャネル品質情報）、ＰＭＩ（Ｐｒｅｃｏｄｉｎｇ  Ｍａｔｒｉｘ  Ｉｎｄｉｃａｔｉｏｎ：プリコーディング・マトリックス・インディケータ）、および、ＲＩ（Ｒａｎｋ  Ｉｎｄｉｃａｔｉｏｎ：ランク・インディケータ）などが送信される。
【００６９】
（２ｃ）  ＰＲＡＣＨ（Ｐｈｙｓｉｃａｌ  Ｒａｎｄｏｍ  Ａｃｃｅｓｓ  Ｃｈａｎｎｅｌ：ランダムアクセスチャネル）
ＰＲＡＣＨでは、ランダムアクセスのプリアンブルが送信される。
【００７０】
［３．物理シグナル（下り）］
下りの物理シグナルとしては、２種類の物理シグナル７１，７２が定義されている。
【００７１】
（３ａ）  ＲＳ（Ｒｅｆｅｒｅｎｃｅ  Ｓｉｇｎａｌ：参照信号）
ＲＳは、チャネル推定やＣＱＩの測定に使用される。
【００７２】
（３ｂ）  同期信号（Ｓｙｎｃｈｒｏｎｉｚａｔｉｏｎ  Ｓｉｇｎａｌ）
同期信号は、後述するセルサーチに使用される。
【００７３】
［４．物理シグナル（上り）］
上りの物理シグナルとしては、１種類の物理シグナル７３が定義されている。
【００７４】
（４ａ）  ＲＳ（Ｒｅｆｅｒｅｎｃｅ  Ｓｉｇｎａｌ：参照信号）
ＲＳは、チャネル推定やＣＱＩの測定に使用される。
【００７５】
＜Ｅ．ＬＴＥ−Ａ方式におけるＣｏＭＰ＞
ＬＴＥ−Ａ方式においては、２つ以上のＬＴＥ−Ａ基地局３００が協調して移動局１００との間で通信を行なう協調モードである、多地点協調送受信（ＣｏＭＰ）を実施可能である。このようなＣｏＭＰの方式としては、現時点では、以下のような内容が提案されている。
【００７６】
（ｅ１．下りリンク用ＣｏＭＰ）
現在、下りリンクにＣｏＭＰを用いる方法として、主として、以下に示すような２種類の方法が検討されている。
【００７７】
図７および図８は、ＬＴＥ−ＡにおけるＣｏＭＰ動作を説明するための図である。
第１の方法は、ＬＴＥと同様に、移動局は基地局と一対一で通信するが、隣接した複数の基地局が情報を共有することにより、スケジューリングやビームフォーミングを協調して行なうことで、干渉を低減させる方法である。
【００７８】
たとえば、図７に示すように、セル１０−１とセル１０−２とのセルエッジに移動局１００が位置している場合を考える。この場合には、移動局１００は、セル１０−１の基地局３００−１およびセル１０−２の基地局３００−２からの無線信号を受信できる。そのため、一方の基地局３００からの信号を受信しているときに、他方の基地局からの信号を受信すると、その受信した信号は干渉源となる。
【００７９】
そこで、第１の方法に従うＣｏＭＰにおいては、基地局３００−１と基地局３００−２とが協調して信号送信タイミングや電波送信範囲などを制御することで、移動局１００に対する干渉を低減する。
【００８０】
また、第２の方法は、ＬＴＥとは異なり、複数の基地局が１つの移動局に対して同時に信号を送信し、移動局はそれらの信号を結合して復調することにより、受信品質を向上させる方法である。
【００８１】
たとえば、図８を参照して、図７と同様に、セル１０−１とセル１０−２とのセルエッジに移動局１００が位置している場合を考える。この場合には、移動局１００は、セル１０−１の基地局３００−１およびセル１０−２の基地局３００−２からの無線信号を受信できる。そこで、第２の方法に従うＣｏＭＰにおいては、基地局３００−１と基地局３００−２とが協調して信号送信タイミングを同期させることで、移動局１００に対して、それぞれ異なるデータ（データ１およびデータ２）を送信する。これにより、基地局３００と移動局１００との間の下りリンクの速度を高めることができる。
【００８２】
（ｅ２．上りリンク用ＣｏＭＰ）
上りリンクにＣｏＭＰを用いる方法として、複数の基地局３００が、移動局１００から送信される信号を受信し、それらの信号を結合することによって、受信品質を向上させる方法が提案・検討されている。
【００８３】
（ｅ３．ＣｏＭＰ開始方法）
次に、ＬＴＥ−ＡにおけるＣｏＭＰの開始方法の一例について説明する。
【００８４】
図９は、ＬＴＥ−Ａにおける開始時の処理の動作例を示すシーケンス図である。
ＬＴＥにおいて、移動局は、基地局（サービングセル）から提供される情報に基づいて、自身の属するセルの周辺セルを測定する。この基地局から提供される情報は、周辺セルリスト２１８を含む。この情報は、ブロードキャスト・チャネルまたは専用チャネル（ＰＤＳＣＨ／下り共有チャネル）を介して基地局から移動局へ送信される。なお、周辺セルリスト２１８には、セルＩＤや受信レベルに基づいてオフセットを生じさせるための情報を含む。
【００８５】
すなわち、基地局（サービングセル）は、周辺セルリスト２１８を含む情報を移動局へ送信する（シーケンスＳＱ１０）。移動局は、受信した情報に含まれる周辺セルリスト２１８を格納する（シーケンスＳＱ１２）。
【００８６】
なお、非特許文献２に開示されるように、基地局から提供される情報がブロードキャスト・チャネルを介して移動局へ送信される場合には、周辺セルリスト２１８は、ＳＹＳＴＥＭ  ＩＮＦＯＲＭＡＴＩＯＮメッセージに含められる。移動局は、このような周辺セルリストを含むＳＹＳＴＥＭ  ＩＮＦＯＲＭＡＴＩＯＮメッセージを受信すると、受信した周辺セルリストを自局のメモリに格納する。
【００８７】
代替的に、基地局から提供される情報が専用チャネルを介して移動局へ送信される場合には、周辺セルリストは、ＭＥＡＳＵＲＥＭＥＮＴ  ＣＯＮＦＩＧＵＲＡＴＩＯＮメッセージに含められる。移動局は、このような周辺セルリストを含むＭＥＡＳＵＲＥＭＥＮＴ  ＣＯＮＦＩＧＵＲＡＴＩＯＮメッセージを受信すると、受信した周辺セルリストを自局のメモリに格納する。
【００８８】
基地局は、新しい周辺セルリストを作成してＭＥＡＳＵＲＥＭＥＮＴ  ＣＯＮＦＩＧＵＲＡＴＩＯＮメッセージを送信することによって、移動局が通信中であっても周辺セルリストを更新することができる。一方、移動局は、ＭＥＡＳＵＲＥＭＥＮＴ  ＣＯＮＦＩＧＵＲＡＴＩＯＮメッセージを受信すると、当該ＭＥＡＳＵＲＥＭＥＮＴ  ＣＯＮＦＩＧＵＲＡＴＩＯＮメッセージに含まれる周辺セルリストにあるセルに対して受信レベル（Ｒｅｆｅｒｅｎｃｅ  Ｓｉｇｎａｌ  Ｒｅｃｅｉｖｅｄ  Ｐｏｗｅｒ：以下「ＲＳＲＰ」とも称する。）や無線品質（Ｒｅｆｅｒｅｎｃｅ  Ｓｉｇｎａｌ  Ｒｅｃｅｉｖｅｄ  Ｑｕａｌｉｔｙ：以下「ＲＳＲＱ」とも称す。）を測定する。そして、移動局は、ＭＥＡＳＵＲＥＭＥＮＴ  ＣＯＮＦＩＧＵＲＡＴＩＯＮメッセージの内容に従って、必要な情報をＭＥＡＳＵＲＥＭＥＮＴ  ＲＥＰＯＲＴメッセージを介して基地局へ送信する。
【００８９】
上述の非特許文献３には、ＣｏＭＰを開始する場合の一般的な手順が開示されている。より具体的には、非特許文献３には、移動局からの報告（Ｒｅｐｏｒｔｉｎｇ）をフィードバックすることで、ＣｏＭＰを実施する方法が開示されている。
【００９０】
まず、基地局が送信しているＣＲＳ（Ｃｅｌｌ−ｓｐｅｃｉｆｉｃ  Ｒｅｆｅｒｅｎｃｅ  Ｓｉｇｎａｌ）、または、ＣＳＩ−ＲＳ（Ｃｈａｎｎｅｌ  Ｓｔａｔｅ／Ｓｔａｔｉｓｔｉｃａｌ  Ｉｎｆｏｒｍａｔｉｏｎ−Ｒｅｆｅｒｅｎｃｅ  Ｓｉｇｎａｌ）を用いて、移動局は各セルのＲＳＲＰを測定する（シーケンスＳＱ１６）。すなわち、サービングセルの基地局および周辺セルの基地局の各々は、ＣＲＳまたはＣＳＩ−ＲＳを周期的またはイベント的に送信する（シーケンスＳＱ１４）。
【００９１】
移動局は、測定した各セルのＲＳＲＰの値をＭＥＡＳＵＲＥＭＥＮＴ  ＲＥＰＯＲＴメッセージを介してサービングセルの基地局へ送信する（シーケンスＳＱ１８）。基地局は、サービングセル以外のセル（周辺セル）についてのＲＳＲＰの値が所定のしきい値を超えているか否かを判断する（シーケンスＳＱ２０）。
【００９２】
サービングセル以外のセルについてのＲＳＲＰの値が所定のしきい値を超えていなければ、基地局はＣｏＭＰ  Ｍｏｄｅへの切換処理は行なわない。その結果、シーケンスＳＱ１４〜ＳＱ１８の処理が繰返される。
【００９３】
一方、サービングセル以外のセルについてのＲＳＲＰの値が所定のしきい値を超えていれば、基地局は、ＣｏＭＰを行なったほうがよいと判断し、ＣｏＭＰ  ｒｅｐｏｒｔｉｎｇ  ｓｅｔを指定したＣｏＭＰ開始要求、および、ＣＳＩ（Ｃｈａｎｎｅｌ  Ｓｔａｔｅ／Ｓｔａｔｉｓｔｉｃａｌ  Ｉｎｆｏｒｍａｔｉｏｎ：チャネル品質情報）報告方法の情報を移動局へ送信する（シーケンスＳＱ２２，ＳＱ２４）。
【００９４】
この送信されるＣＳＩ報告方法の情報は、協調モードであるＣｏＭＰを開始するための要求であり、それぞれの基地局についての測定結果のいずれかの基地局への報告方法を含む。すなわち、この報告方法の情報は、移動局で測定された各チャネルの情報を送信する通信方式の指定などを含む。
【００９５】
ここで、ＬＴＥ−Ａでは、周辺セルを複数の分類に区分できることが規定されている。そこで、ハンドオーバやセルリセレクションを実施するために必要な受信レベル（ＲＳＲＰ）や無線品質（ＲＳＲＱ）の測定を行なう周辺セルを「Ｍｅａｓｕｒｅｍｅｎｔ  ｓｅｔ」と定義し、ＣｏＭＰを実施する可能性のある周辺セルを「ＣｏＭＰ  ｒｅｐｏｒｔｉｎｇ  ｓｅｔ」と定義する。ＣｏＭＰ  ｒｅｐｏｒｔｉｎｇ  ｓｅｔでは、ＲＳＲＰの測定やＲＳＰＱの測定の他に、ＣｏＭＰを実施するために必要なＣＳＩを報告する必要がある。
【００９６】
すなわち、図１０に示すように、Ｍｅａｓｕｒｅｍｅｎｔ  ｓｅｔの範囲は、ＣｏＭＰ  ｒｅｐｏｒｔｉｎｇ  ｓｅｔの範囲よりも広くなっており、ＣｏＭＰ  ｒｅｐｏｒｔｉｎｇ  ｓｅｔのセル群は、Ｍｅａｓｕｒｅｍｅｎｔ  ｓｅｔのセル群に包含される。
【００９７】
再度、図９を参照して、周辺セルの基地局の各々は、ＣＳＩ−ＲＳを周期的またはイベント的に送信しており（シーケンスＳＱ２６）、移動局は、ＣＳＩ−ＲＳを用いてＣｏＭＰ  ｒｅｐｏｒｔｉｎｇ  ｓｅｔのチャネルを測定（シーケンスＳＱ２８）し、通知されたＣＳＩ報告方法でＣＳＩの値を送信する（シーケンスＳＱ３０）。そして、基地局は、他ユーザとの通信状況などに基づいて、上述した２種類のＣｏＭＰのうち一方を用いて通信を行なうべきか否かを判断する（シーケンスＳＱ３２）。すなわち、基地局は、２つ以上の基地局についての測定結果に基づいて、２つ以上の基地局が協調して通信を行なうことができる複数の形態（ＣｏＭＰ  Ｍｏｄｅ）のうち、いずれか１つを選択する。
【００９８】
最終的に、基地局は、いずれかのＣｏＭＰを用いて通信を行なうべきであると判断すると、他の基地局との間で必要なデータを遣り取りした上で（シーケンスＳＱ３４）、ＣｏＭＰによる通信を開始する（シーケンスＳＱ３６）。
【００９９】
＜Ｆ．Ｗ−ＣＤＭＡ方式におけるソフトハンドオーバ（ＳＨＯ）＞
次に、Ｗ−ＣＤＭＡ方式におけるソフトハンドオーバ（Soft  Handover：以下「ＳＨＯ」とも称す）について説明する。現在サービスが提供されているＷ−ＣＤＭＡ方式についても、１つの移動局が複数の基地局と通信する動作が３ＧＰＰによって規定されており、この動作がＳＨＯである。但し、ＳＨＯは、上述のＣｏＭＰとは異なり、複数の基地局が同じデータを送信する。すなわち、ＳＨＯは、移動局と２つ以上の基地局との間での並列的な無線通信である。
【０１００】
図１１は、Ｗ−ＣＤＭＡにおけるＳＨＯ動作を説明するための図である。たとえば、図１１に示すように、セル１０−１およびセル１０−２が隣接するセルエッジに移動局１００が位置している場合を考える。この場合には、移動局１００は、セル１０−１の基地局２００−１およびセル１０−２の基地局２００−２からの無線信号を受信できる。そこで、ＳＨＯにおいては、移動局１００は、基地局２００−１および基地局２００−２からそれぞれ送信される信号を受信する。
【０１０１】
なお、Ｗ−ＣＤＭＡ方式には、以下のような複数の通信方法が規定されている。
（１）  ＤＣＨ（Ｄｅｄｉｃａｔｅｄ  Ｃｈａｎｎｅｌ：個別チャネル）方式
ユーザデータの送信には、物理チャネルとしてＤＰＤＣＨ（Ｄｅｄｉｃａｔｅｄ  Ｐｈｙｓｉｃａｌ  Ｄａｔａ  Ｃｈａｎｎｅｌ：個別物理データチャネル）が用いられる。
【０１０２】
（２）  ＨＳＤＰＡ（Ｈｉｇｈ  Ｓｐｅｅｄ  Ｄｏｗｎｌｉｎｋ  Ｐａｃｋｅｔ  Ａｃｃｅｓｓ）方式
下りデータ送信には、物理チャネルとしてＨＳ−ＤＳＣＨ（Ｈｉｇｈ  Ｓｐｅｅｄ  Ｄｏｗｎｌｉｎｋ  Ｓｈａｒｅｄ  Ｃｈａｎｎｅｌ）が用いられる。
【０１０３】
（３）  ＨＳＵＰＡ（Ｈｉｇｈ  Ｓｐｅｅｄ  Ｕｐｌｉｎｋ  Ｐａｃｋｅｔ  Ａｃｃｅｓｓ）方式
上りデータ送信には、物理チャネルとしてＥ−ＤＣＨ（Ｅｎｈａｎｃｅｄ  Ｄｅｄｉｃａｔｅｄ  Ｃｈａｎｎｅｌ）が用いられる。
【０１０４】
上述のいずれの方式においても、制御データの送信には、物理チャネルとしてＤＰＣＣＨ（Ｄｅｄｉｃａｔｅｄ  Ｐｈｙｓｉｃａｌ  Ｃｏｎｔｒｏｌ  Ｃｈａｎｎｅｌ：個別物理制御チャネル）が用いられる。
【０１０５】
上述した物理チャネルのうち、ＤＰＤＣＨ、Ｅ−ＤＣＨ、およびＤＰＣＣＨについては、ＳＨＯを行なうことができるが、ＨＳ−ＤＳＣＨは、ＳＨＯを行なうことができない。すなわち、ＨＳ−ＤＳＣＨを介して送信されるデータは、１つの基地局から送信されることになる。そのため、ＨＳＤＰＡ方式のように、下りデータ送信の物理チャネルとしてＨＳ−ＤＳＣＨを用いる場合は、ユーザデータを１つの基地局から送信するとともに、制御データを複数の基地局から送信することになる。
【０１０６】
＜Ｇ．Ｗ−ＣＤＭＡ方式における他システムへのハンドオーバ＞
Ｗ−ＣＤＭＡ方式では、他システムへのハンドオーバ（Ｉｎｔｅｒ−ＲＡＴハンドオーバ）を行なうことも可能である。この場合には、Ｃｏｍｐｒｅｓｓｅｄ  Ｍｏｄｅというデータ通信を行なわない時間を設定し、この時間内に他システムのセルが探索される。すなわち、Ｃｏｍｐｒｅｓｓｅｄ  Ｍｏｄｅでは、Ｗ−ＣＤＭＡ方式に従う無線通信を一時的に中断して他の通信システムについての測定などが実施される。
【０１０７】
このようなＣｏｍｐｒｅｓｓｅｄ  Ｍｏｄｅの実現方法としては、以下のような方法が規定されている。
【０１０８】
（１）  ＳＦ／２：送信ギャップのスロットにおいて特定区間の伝送レートを上げることでデータ通信を行なわない区間を作る方式
（２）  ｈｉｇｈｅｒ  ｌａｙｅｒ  ｓｃｈｅｄｕｌｉｎｇ：送信ギャップ以外のスロットで送信できるビット数に合わせてＴＦＣ（Ｔｒａｎｓｐｏｒｔ  Ｆｏｒｍａｔ  Ｓｅｔ）を決定する方式
図１２は、Ｗ−ＣＤＭＡにおけるＣｏｍｐｒｅｓｓｅｄ  Ｍｏｄｅを説明するための図である。図１２に示すように、ある時間間隔の送信フレームが定義されている場合に、先行する送信フレームと後続の送信フレームとの間の送信ギャップを拡大して、他システムにおける送受信区間（本実施の形態においては、ＬＴＥ−Ａ方式）を設けることになる。
【０１０９】
図５を再度参照して、移動局１００は、基地局からの要求によって、Ｃｏｍｐｒｅｓｓｅｄ  ＭｏｄｅがＯＮになると、指定されたギャップ期間の間、Ｗ−ＣＤＭＡシステムでのデータの送信（または、受信）を中断する。すなわち、送信モジュール１３０のスイッチ１３６および受信モジュール１４０のスイッチ１４６をタイミングに合わせて制御することで、送信ギャップの期間だけ、ＬＴＥ−Ａ通信を有効化して、ＬＴＥ−Ａ基地局をサーチする。
【０１１０】
＜Ｈ．Ｉｎｔｅｒ−ＲＡＴハンドオーバ処理（関連技術）＞
次に、上述のような処理動作に基づいて、ある移動局がＷ−ＣＤＭＡのシステムで通信中にＬＴＥ−Ａのシステムへハンドオーバ（Ｉｎｔｅｒ−ＲＡＴハンドオーバ）し、ＣｏＭＰを開始する場合の動作例について説明する。
【０１１１】
図１３は、移動局がＷ−ＣＤＭＡのシステム通信中にＬＴＥ−Ａのシステムへハンドオーバする場合の位置関係を模式的に示す図である。図１４は、本発明の実施の形態に関連するＷ−ＣＤＭＡ方式からＬＴＥ−Ａ方式へのハンドオーバ処理の動作例を示すシーケンス図である。
【０１１２】
まず、図１３を参照して、Ｗ−ＣＤＭＡおよびＬＴＥ−Ａの両方式に対応した移動局１００が、セル１０−１およびセル１０−２に隣接するセルエッジに位置している場合を考える。ここで、セル１０−１には、Ｗ−ＣＤＭＡ方式の基地局２００−１およびＬＴＥ−Ａ方式の基地局３００−１が設置されており、これらの基地局２００−１および３００−１のカバー範囲（サービス提供範囲）は、互いに実質的に同一であるとする。同様に、セル１０−２には、Ｗ−ＣＤＭＡ方式の基地局２００−２およびＬＴＥ−Ａ方式の基地局３００−２が設置されており、これらの基地局２００−２および３００−２のカバー範囲は互いに実質的に同一であるとする。
【０１１３】
すなわち、Ｗ−ＣＤＭＡ方式の基地局２００−１とＬＴＥ−Ａ方式の基地局３００−１とは、実質的に同じ場所に配置されており、かつ、Ｗ−ＣＤＭＡ方式の基地局２００−２とＬＴＥ−Ａ方式の基地局３００−２とについても、実質的に同じ場所に配置されている。そして、Ｗ−ＣＤＭＡ方式の基地局２００−１とＬＴＥ−Ａ方式の基地局３００−１とは、実質的に同じセル半径を有しており、かつ、Ｗ−ＣＤＭＡ方式の基地局２００−２とＬＴＥ−Ａ方式の基地局３００−２とについても、実質的に同じセル半径を有している。
【０１１４】
図１３に示すような状況下において、移動局１００がＷ−ＣＤＭＡ方式の基地局２００の複数と通信を行なっている状態から、ＬＴＥ−Ａのシステムへハンドオーバ（ｉｎｔｅｒ−ＲＡＴハンドオーバ）する場合を考える。
【０１１５】
なお、初期状態においては、移動局１００がＳＨＯモードで通信を行なっているものとする。すなわち、移動局１００がＷ−ＣＤＭＡ方式の基地局２００−１と基地局２００−２との間での並列的な無線通信を行なっているものとする。
【０１１６】
初期状態においては、移動局１００から見れば、Ｗ−ＣＤＭＡ方式の基地局２００−２からの受信品質に比較して、Ｗ−ＣＤＭＡ方式の基地局２００−１からの受信品質が良好であるとする。
【０１１７】
基地局２００がこのような受信品質を評価する方法としては、移動局１００から報告された受信レベル（Ｒｅｃｅｉｖｅｄ  Ｓｉｇｎａｌ  Ｃｏｄｅ  Ｐｏｗｅｒ：ＲＳＣＰ）や無線品質Ｅｃ／Ｎ０（エネルギー対帯域内受信電力密度比）を用いてもよいし、上りの受信品質（Ｓｉｇｎａｌ  ｔｏ  Ｉｎｔｅｒｆｅｒｅｎｃｅ  Ｒａｔｉｏ：ＳＩＲ）を用いる方法を採用できる。
【０１１８】
ここで、Ｗ−ＣＤＭＡ方式として、ＨＳＤＰＡ通信を行っている場合は、Ｗ−ＣＤＭＡ方式の基地局２００−１がＨＳ−ＤＳＣＨを送信するサービングセルであるとする。
【０１１９】
なお、以下の説明では、図１４〜図１６の記載に合わせて、Ｗ−ＣＤＭＡ方式の基地局２００−１を「Ｗ−ＣＤＭＡ基地局（１）」と表現し、Ｗ−ＣＤＭＡ方式の基地局２００−２を「Ｗ−ＣＤＭＡ基地局（２）」と表現する場合もある。また、ＬＴＥ−Ａ方式の基地局３００−１を「ＬＴＥ−Ａ基地局（１）」と表現し、ＬＴＥ−方式の基地局３００−２を「ＬＴＥ−Ａ基地局（２）」と表現する場合もある。
【０１２０】
まず、移動局１００がＷ−ＣＤＭＡ基地局（１）およびＷ−ＣＤＭＡ基地局（２）との間で、Ｗ−ＣＤＭＡ方式に従う通信（ＳＨＯモード）を行なっているとする（シーケンスＳＱ２００）。
【０１２１】
上述したように、Ｗ−ＣＤＭＡ基地局（１）が、そのセル内に位置する移動局１００との間の通信中に、上りデータ（ＤＣＨ）の品質（ＳＩＲ：Ｓｉｇｎａｌ  ｔｏ  Ｉｎｔｅｒｆｅｒｅｎｃｅ  Ｒａｔｉｏ）の劣化を検知したとする（シーケンスＳＱ２０２）。そして、Ｗ−ＣＤＭＡ基地局（１）は、上りデータの品質劣化などのイベントに基づいて、ＬＴＥ−Ａのシステムで通信することが好ましいと判断すると、Ｃｏｍｐｒｅｓｓｅｄ  Ｍｏｄｅ開始要求を移動局１００へ送信する（シーケンスＳＱ２０４）。
【０１２２】
移動局１００は、Ｃｏｍｐｒｅｓｓｅｄ  Ｍｏｄｅ開始要求を受信すると、Ｃｏｍｐｒｅｓｓｅｄ  Ｍｏｄｅを開始する（シーケンスＳＱ２０６）。続いて、移動局１００は、Ｃｏｍｐｒｅｓｓｅｄ  Ｍｏｄｅ開始応答をＷ−ＣＤＭＡ基地局（１）およびＷ−ＣＤＭＡ基地局（２）へ送信する（シーケンスＳＱ２０８）。
【０１２３】
続いて、Ｗ−ＣＤＭＡ基地局（１）は、Ｍｅａｓｕｒｅｍｅｎｔ  Ｃｏｎｔｒｏｌメッセージを用いて、周辺セルサーチ要求を移動局へ送信する（シーケンスＳＱ２１０）。移動局１００は、周辺セルサーチ要求を受信すると、要求された周辺セルのサーチを開始する（シーケンスＳＱ２１２）。すなわち、移動局１００は、周辺セルの受信レベル（ＲＳＲＰ）や無線品質（ＲＳＲＱ）を測定して、要求条件を満たすか否かを判断する。そして、移動局１００は、要求条件を満たした周辺セルが存在している場合には、Ｍｅａｓｕｒｅｍｅｎｔ  Ｒｅｐｏｒｔメッセージを用いて測定結果をＷ−ＣＤＭＡ基地局（１）へ送信する（シーケンスＳＱ２１４）。
【０１２４】
このとき、サーチ対象にＬＴＥ−Ａ基地局（１）および（２）を含み、当該基地局について測定された受信レベル（ＲＳＲＰ）または無線品質（ＲＳＲＱ）がハンドオーバを行なうべき条件を満たしているとする。
【０１２５】
Ｗ−ＣＤＭＡ基地局（１）（または、図３に示す無線ネットワーク制御装置４０）は、移動局１００から受信した測定結果に基づいて、ＬＴＥ−Ａ基地局（１）および（２）（または、図３に示す無線ネットワーク制御装置４４）との間で、Ｗ−ＣＤＭＡ方式からＬＴＥ−Ａ方式へのハンドオーバの許否を判断する（シーケンスＳＱ２１６）。
【０１２６】
そして、Ｗ−ＣＤＭＡ方式からＬＴＥ−Ａ方式へのハンドオーバが許可すべきであると判断されると、Ｗ−ＣＤＭＡ基地局（１）は、ハンドオーバ要求を移動局１００へ送信する（シーケンスＳＱ２１８）。
【０１２７】
移動局１００は、ハンドオーバ要求を受信すると、Ｃｏｍｐｒｅｓｓｅｄ  Ｍｏｄｅを終了する（シーケンスＳＱ２２０）。なお、ＬＴＥ−Ａ基地局（１）がサービングセルに指定されているものとする。そして、移動局１００は、ハンドオーバ先として要求されたＬＴＥ−Ａ基地局（１）へランダムアクセス要求を送信する（シーケンスＳＱ２２２）。ＬＴＥ−Ａ基地局（１）は、ランダムアクセス要求を受信すると、ランダムアクセス応答を移動局１００へ送信する（シーケンスＳＱ２２４）。移動局１００は、ランダムアクセス応答を受信すると、ハンドオーバ完了通知をＬＴＥ−Ａ基地局（１）へ送信する（シーケンスＳＱ２２６）。
【０１２８】
以上の手順が、Ｗ−ＣＤＭＡのシステムからＬＴＥ−Ａのシステムへのハンドオーバ処理になる。続いて、ＬＴＥ−Ａ方式での通信が開始される。このＬＴＥ−Ａ方式での通信において、状況に応じて、ＣｏＭＰが開始される。
【０１２９】
すなわち、Ｗ−ＣＤＭＡのシステムからＬＴＥ−Ａのシステムへのハンドオーバ処理が完了すると、移動局１００とＬＴＥ−Ａ基地局（１）との間で、ＬＴＥ−Ａ方式に従う通信を行なっているとする（シーケンスＳＱ２２８）。続いて、ＬＴＥ−Ａ基地局（１）が、そのセル内に位置する移動局１００との間の通信中に、上りデータの品質の劣化を検知したとする（シーケンスＳＱ２３０）。そして、ＬＴＥ−Ａ基地局（１）は、上りデータの品質劣化などのイベントに基づいて、ＣｏＭＰを実施した方がよいと判断すると、Ｍｅａｓｕｒｅｍｅｎｔ  Ｃｏｎｔｒｏｌメッセージを用いて、周辺セルサーチ要求を移動局１００へ送信する（シーケンスＳＱ２３２）。
【０１３０】
なお、ＬＴＥ−Ａ方式の通信中、所定周期または所定イベント毎に、移動局１００から受信レベル（ＲＳＲＰ）や無線品質（ＲＳＲＱ）がＬＴＥ−Ａ基地局へ報告されており、この報告に基づいて、サービングセルのＬＴＥ−Ａ基地局は、通信品質の劣化を判断することもできる。
【０１３１】
移動局１００は、Ｍｅａｓｕｒｅｍｅｎｔ  Ｃｏｎｔｒｏｌメッセージを受信すると、要求された周辺セルのサーチを開始する（シーケンスＳＱ２３４）。すなわち、移動局１００は、周辺セルの受信レベル（ＲＳＲＰ）や無線品質（ＲＳＲＱ）を測定して、要求条件を満たすか否かを判断する。そして、移動局１００は、要求条件を満たした周辺セルが存在している場合には、Ｍｅａｓｕｒｅｍｅｎｔ  Ｒｅｐｏｒｔメッセージを用いて測定結果をＬＴＥ−Ａ基地局（１）へ送信する（シーケンスＳＱ２３６）。
【０１３２】
ＬＴＥ−Ａ基地局（１）は、Ｍｅａｓｕｒｅｍｅｎｔ  Ｒｅｐｏｒｔメッセージを受信すると、ＣｏＭＰ  Ｍｏｄｅへの切換を行なうか否かを判断する。すなわち、ＬＴＥ−Ａ基地局（１）は、他のセルの受信レベル（ＲＳＲＰ）や無線品質（ＲＳＲＱ）があるしきい値を超えるか否かを判断することで、ＣｏＭＰを実施した方がよいか否かを判断する。
【０１３３】
ＣｏＭＰを実施した方がよいと判断すると、ＬＴＥ−Ａ基地局（１）は、ＣｏＭＰ  ｒｅｐｏｒｔｉｎｇ  ｓｅｔのセル群を含むＣｏＭＰ  Ｍｏｄｅ開始要求を移動局へ送信する（シーケンスＳＱ２３８）。移動局１００は、ＣｏＭＰ  Ｍｏｄｅ開始要求を受信すると、ＣｏＭＰ  ｒｅｐｏｒｔｉｎｇ  ｓｅｔに含まれる各セルからのＣＳＩ−ＲＳに基づいて、ＣｏＭＰ  ｒｅｐｏｒｔｉｎｇ  ｓｅｔのチャネルを測定する（シーケンスＳＱ２４０）。そして、移動局１００は、ＣｏＭＰ  Ｍｏｄｅ開始応答をＬＴＥ−Ａ基地局（１）へ送信する（シーケンスＳＱ２４２）。このとき、移動局１００は、予め通知されているＣＳＩ報告方法でＣＳＩをＬＴＥ−Ａ基地局（１）へ送信する。
【０１３４】
ＬＴＥ−Ａ基地局（１）は、他ユーザとの通信状況などから、上述した２種類のＣｏＭＰのうち一方を実施すべきかを判断し、その選択したＣｏＭＰを実施するために必要な情報を、ＣｏＭＰを実施する他のＬＴＥ−Ａ基地局へ通知する（シーケンスＳＱ２４４）。このとき、ＬＴＥ−Ａ基地局（１）とＬＴＥ−Ａ基地局（２）とが移動局１００との間でＣｏＭＰを実施するものとする。
【０１３５】
このように、ＣｏＭＰ  Ｍｏｄｅの開始処理が完了すると、移動局１００は、ＬＴＥ−Ａ基地局（１）および／またはＬＴＥ−Ａ基地局（２）との間で、ＣｏＭＰ  Ｍｏｄｅにおいて、ＬＴＥ−Ａ方式に従う通信を開始する（シーケンスＳＱ２４６）。
【０１３６】
＜Ｉ．課題＞
上述したように、Ｗ−ＣＤＭＡのシステムから他のシステムのセルへハンドオーバ（Ｉｎｔｅｒ−ＲＡＴハンドオーバ）を行なうためには、Ｃｏｍｐｒｅｓｓｅｄ  Ｍｏｄｅを使ってハンドオーバ先のセルを検出する必要がある。
【０１３７】
ここで、Ｃｏｍｐｒｅｓｓｅｄ  Ｍｏｄｅの一例であるＳＦ／２では、伝送レートを上げるために電力を約２倍にして送信することになる。そのため、移動局での消費電力が増加するとともに、当該移動局が他の移動局に対す干渉源となるという課題がある。また、Ｃｏｍｐｒｅｓｓｅｄ  Ｍｏｄｅの一例であるｈｉｇｈｅｒ  ｌａｙｅｒ  ｓｃｈｅｄｕｌｉｎｇでは、送信できる単位時間当たりのデータ量が減少するという課題がある。したがって、Ｃｏｍｐｒｅｓｓｅｄ  ＭｏｄｅをＯＮにする時間は可能な限り短くすることが好ましい。
【０１３８】
一方で、Ｗ−ＣＤＭＡのシステムからＬＴＥ−Ａのシステムへハンドオーバ（Ｉｎｔｅｒ−ＲＡＴハンドオーバ）を行なう場合に、ＬＴＥ−ＡにおいてＣｏＭＰを実施した方が好ましいと予め推測されるのであれば、ハンドオーバ直後からＣｏＭＰを実施した方が、エラーを低減して通信品質を向上させることができる。このように、ハンドオーバ直後からＣｏＭＰを実施するためには、移動局が通信可能なＬＴＥ−Ａの基地局を全て検出し、ハンドオーバ後にＣｏＭＰから始めたほうがよい場合がある。
【０１３９】
しかしながら、移動局が通信可能なＬＴＥ−Ａの基地局を全て検出しようとすると、サーチ処理に余分に時間を要するので、Ｃｏｍｐｒｅｓｓｅｄ  ＭｏｄｅをＯＮに維持する時間が相対的に長くなるという問題が生じる。
【０１４０】
そこで、本実施の形態においては、Ｗ−ＣＤＭＡのシステムからＬＴＥ−Ａのシステムへのハンドオーバ時に、Ｃｏｍｐｒｅｓｓｅｄ  Ｍｏｄｅの時間を可能な限り低減するとともに、ハンドオーバ後のＬＴＥ−Ａにおける通信品質を可能な限り向上させることのできる、Ｉｎｔｅｒ−ＲＡＴハンドオーバの方法を提供することを１つの目的とする。
【０１４１】
＜Ｊ．Ｉｎｔｅｒ−ＲＡＴハンドオーバ処理（本実施形態）＞
上述したように、同一のセルにＷ−ＣＤＭＡおよびＬＴＥ−Ａの基地局がそれぞれ配置されているような環境下においては、移動局１００がＷ−ＣＤＭＡ方式のＳＨＯを実施していれば、Ｗ−ＣＤＭＡのシステムからＬＴＥ−Ａのシステムへのハンドオーバ（Ｉｎｔｅｒ−ＲＡＴハンドオーバ）の実施後に、当該ＳＨＯに関わっていたＷ−ＣＤＭＡの基地局２００とそれぞれ同じ位置に配置されているＬＴＥ−Ａの基地局３００を用いて、ＣｏＭＰを実施できる可能性が高い。
【０１４２】
そこで、本実施の形態においては、Ｉｎｔｅｒ−ＲＡＴハンドオーバの直前にＷ−ＣＤＭＡ方式のＳＨＯが実施されている場合には、そのＳＨＯに参加している基地局をＣｏＭＰ  Ｒｅｐｏｒｔｉｎｇ  Ｓｅｔとして指定することで、より短い時間で、Ｉｎｔｅｒ−ＲＡＴハンドオーバ後にＣｏＭＰを実施できるか否かを判断する。より具体的な動作について、以下のシーケンス図を参照して説明する。
【０１４３】
図１５は、本発明の実施の形態に従うＷ−ＣＤＭＡ方式からＬＴＥ−Ａ方式へのハンドオーバ処理（ＣｏＭＰ有効化）の動作例を示すシーケンス図である。図１６は、本発明の実施の形態に従うＷ−ＣＤＭＡ方式からＬＴＥ−Ａ方式へのハンドオーバ処理（ＣｏＭＰ無効化）の動作例を示すシーケンス図である。
【０１４４】
図１５を参照して、まず、移動局１００がＷ−ＣＤＭＡ基地局（１）およびＷ−ＣＤＭＡ基地局（２）との間で、Ｗ−ＣＤＭＡ方式に従う通信（ＳＨＯモード）を行なっているとする（シーケンスＳＱ１００）。すなわち、移動局１００とＷ−ＣＤＭＡ基地局（１）およびＷ−ＣＤＭＡ基地局（２）との間での並列的な無線通信が開始されているものとする。
【０１４５】
上述したように、Ｗ−ＣＤＭＡ基地局（１）が、そのセル内に位置する移動局１００との間の通信中に、上りデータ（ＤＣＨ）の品質（ＳＩＲ：Ｓｉｇｎａｌ  ｔｏ  Ｉｎｔｅｒｆｅｒｅｎｃｅ  Ｒａｔｉｏ）の劣化を検知したとする（シーケンスＳＱ１０２）。
【０１４６】
すなわち、Ｗ−ＣＤＭＡ基地局（１）またはＷ−ＣＤＭＡ基地局（２）は、移動局１００とＷ−ＣＤＭＡ基地局（１）およびＷ−ＣＤＭＡ基地局（２）との間での並列的な無線通信の期間中において、移動局１００において測定されるＷ−ＣＤＭＡ基地局についての測定結果に基づいて、Ｗ−ＣＤＭＡ方式からＬＴＥ−Ａ方式へのハンドオーバの要否を判断する。
【０１４７】
そして、Ｗ−ＣＤＭＡ基地局（１）は、上りデータの品質劣化などのイベントに基づいて、ＬＴＥ−Ａのシステムで通信することが好ましいと判断すると、Ｃｏｍｐｒｅｓｓｅｄ  Ｍｏｄｅ開始要求を移動局１００へ送信する（シーケンスＳＱ１０４）。移動局１００は、Ｃｏｍｐｒｅｓｓｅｄ  Ｍｏｄｅ開始要求を受信すると、Ｃｏｍｐｒｅｓｓｅｄ  Ｍｏｄｅを開始する（シーケンスＳＱ１０６）。続いて、移動局１００は、Ｃｏｍｐｒｅｓｓｅｄ  Ｍｏｄｅ開始応答をＷ−ＣＤＭＡ基地局（１）およびＷ−ＣＤＭＡ基地局（２）へ送信する（シーケンスＳＱ１０８）。
【０１４８】
続いて、Ｗ−ＣＤＭＡ基地局（１）は、Ｍｅａｓｕｒｅｍｅｎｔ  Ｃｏｎｔｒｏｌメッセージを用いて、周辺セルサーチ要求を移動局１００へ送信する（シーケンスＳＱ１１０）。このとき、Ｗ−ＣＤＭＡ基地局（１）は、移動局１００との間のＳＨＯに現在関与しているＷ−ＣＤＭＡ基地局のそれぞれに対応するＬＴＥ−Ａ基地局のうち、１つのＬＴＥ−Ａ基地局をサーチ対象のセルとして指定する。図１５に示す例では、Ｗ−ＣＤＭＡ基地局（１）に対応するＬＴＥ−Ａ基地局（１）と、Ｗ−ＣＤＭＡ基地局（２）に対応するＬＴＥ−Ａ基地局（２）とのうち、サービングセルであるＷ−ＣＤＭＡ基地局（１）に対応するＬＴＥ−Ａ基地局（１）が指定されたものとする。
【０１４９】
すなわち、Ｍｅａｓｕｒｅｍｅｎｔ  Ｃｏｎｔｒｏｌメッセージにおいて指定される、サーチ対象の１つのＬＴＥ−Ａ基地局は、２つ以上のＷ−ＣＤＭＡ基地局との間でのＳＨＯにおけるサービングセルであるＷ−ＣＤＭＡ基地局に対応付けられた、ＬＴＥ−Ａ基地局に相当する。
【０１５０】
移動局１００は、周辺セルサーチ要求を受信すると、要求された周辺セル（図１５の例では、ＬＴＥ−Ａ基地局（１））のみのサーチを開始する（シーケンスＳＱ１１２）。すなわち、移動局１００は、要求された周辺セルの受信レベル（ＲＳＲＰ）や無線品質（ＲＳＲＱ）を測定して、Ｍｅａｓｕｒｅｍｅｎｔ  Ｒｅｐｏｒｔメッセージを用いて、その測定結果報告をＷ−ＣＤＭＡ基地局（１）へ送信する（シーケンスＳＱ１１４）。
【０１５１】
このとき、移動局１００では、Ｃｏｍｐｒｅｓｓｅｄ  ＭｏｄｅがＯＮになっているので、Ｗ−ＣＤＭＡ方式に従う無線通信を一時的に中断してＬＴＥ−Ａ方式の無線通信を行なう。
【０１５２】
このように、２つ以上のＷ−ＣＤＭＡ基地局との間での並列的な無線通信の期間中において、移動局１００に対して、２つ以上のＷ−ＣＤＭＡ基地局のうち１つに対応付けられたＬＴＥ−Ａ基地局を指定するとともに、Ｗ−ＣＤＭＡ方式に従う無線通信を一時的に中断して当該指定したＬＴＥ−Ａ基地局についての測定を要求する。
【０１５３】
Ｗ−ＣＤＭＡ基地局（１）（または、図３に示す無線ネットワーク制御装置４０）は、移動局１００から受信した測定結果に基づいて、ＬＴＥ−Ａ基地局（１）および（２）（または、図３に示す無線ネットワーク制御装置４４）との間で、Ｗ−ＣＤＭＡ方式からＬＴＥ−Ａ方式へのハンドオーバの許否およびＣｏＭＰ  Ｍｏｄｅを有効化の許否を判断する（シーケンスＳＱ１１６）。
【０１５４】
Ｗ−ＣＤＭＡ方式からＬＴＥ−Ａ方式へのハンドオーバを許可し、かつ、ＬＴＥ−Ａへのハンドオーバ後のＣｏＭＰ  Ｍｏｄｅの有効化すべきであると判断されると、Ｗ−ＣＤＭＡ基地局（１）は、ハンドオーバ要求を移動局１００へ送信する（シーケンスＳＱ１１８）。ここで、ハンドオーバ要求には、ＣｏＭＰ  Ｍｏｄｅを開始するための要求が含まれる。
【０１５５】
すなわち、Ｗ−ＣＤＭＡ基地局（１）は、指定したＬＴＥ−Ａ基地局（図１５の例では、ＬＴＥ−Ａ基地局（１））についての測定結果に基づいて、Ｗ−ＣＤＭＡ方式からＬＴＥ−Ａ方式へのハンドオーバ（ｉｎｔｅｒ−ＲＡＴハンドオーバ）を移動局１００へ通知するとともに、指定したＬＴＥ−Ａ基地局を含む２つ以上のＬＴＥ−Ａ基地局が協調して移動局１００との間で通信を行なう協調モード（ＣｏＭＰ）を開始するための要求を移動局１００へ通知する。
【０１５６】
このハンドオーバ要求に含まれる協調モードを開始するための要求は、２つ以上のＬＴＥ−Ａ基地局についての測定結果をＬＴＥ−Ａ基地局へ報告する際の報告方法の情報を含む。より具体的には、このＬＴＥ−Ａ基地局への報告方法の情報は、ＬＴＥ−Ａ基地局に関するフィードバックのフォーマットや送信周期といった、移動局１００で測定された各チャネルの情報を送信する通信方式の指定を含む。
【０１５７】
移動局１００は、ハンドオーバ要求を受信すると、Ｃｏｍｐｒｅｓｓｅｄ  Ｍｏｄｅを終了する（シーケンスＳＱ１２０）。すなわち、移動局１００は、Ｗ−ＣＤＭＡ方式からＬＴＥ−Ａ方式へのハンドオーバが通知されると、Ｗ−ＣＤＭＡ方式に従う無線通信を一時的に中断する動作を終了する。
【０１５８】
続いて、移動局１００は、ランダムアクセス要求をＬＴＥ−Ａ基地局（１）へ送信する（シーケンスＳＱ１２２）。ＬＴＥ−Ａ基地局（１）は、ランダムアクセス要求を受信すると、ランダムアクセス応答を移動局１００へ送信する（シーケンスＳＱ１２４）。移動局１００は、ランダムアクセス応答を受信すると、ハンドオーバ完了通知をＬＴＥ−Ａ基地局（１）へ送信する（シーケンスＳＱ１２６）。
【０１５９】
そして、移動局１００は、ＣｏＭＰ  Ｍｏｄｅの開始に必要な処理を行なった上で、ＬＴＥ−Ａ通信を開始する（シーケンスＳＱ１３２）。
【０１６０】
より具体的には、移動局１００は、ハンドオーバ要求内のＣｏＭＰ  ＭｏｄｅをＯＮにするための情報に含まれる報告方法において指定されていたＬＴＥ−Ａ基地局（１）および（２）（ＣｏＭＰ  ｒｅｐｏｒｔｉｎｇ  ｓｅｔ）からのＣＳＩ−ＲＳの受信を開始する。すなわち、移動局１００は、ＣｏＭＰ  Ｍｏｄｅ開始要求を受信すると、ＣｏＭＰ  ｒｅｐｏｒｔｉｎｇ  ｓｅｔに含まれる各セルからのＣＳＩ−ＲＳに基づいて、ＣｏＭＰ  ｒｅｐｏｒｔｉｎｇ  ｓｅｔのチャネルを測定する（シーケンスＳＱ１２８）。そして、移動局１００は、指定された報告方法（フィードバック方法）に従って、受信したＣＳＩ−ＲＳに基づいて測定したチャネル推定結果をＬＴＥ−Ａ基地局（１）および（２）へフィードバックする（シーケンスＳＱ１３０）。
【０１６１】
ここで、フィードバック方法には、上りユーザデータに合わせてＰＵＳＣＨ（上り共有チャネル）で送信する方法と、共通チャネルであるＰＵＣＣＨ（上り制御チャネル）を用いて送信する方法とのいずれかを用いることができる。
【０１６２】
ＬＴＥ−Ａ基地局（１）および（２）は、上述した２種類のＣｏＭＰのうち一方を用いて通信を行なう。このように、ＣｏＭＰ  Ｍｏｄｅの開始処理が完了すると、移動局１００は、ＬＴＥ−Ａ基地局（１）およびＬＴＥ−Ａ基地局（２）との間で、ＣｏＭＰ  Ｍｏｄｅにおいて、ＬＴＥ−Ａ方式に従う通信を開始する（シーケンスＳＱ１３０）。
【０１６３】
なお、ＣｏＭＰの種類の選択方法としては、他ユーザとの通信状況などに基づいて選択することが考えられる。典型的には、他ユーザの通信状況を評価して、現在のユーザ数が一定値を超えている場合や、ある所定区間のデータ量が予め定められたしきい値を超えている場合には、移動局１００が複数のＬＴＥ−Ａ基地局３００ではなく、１つのＬＴＥ−Ａ基地局３００とのみ通信を行なう第１の方法を採用し、そうでなければ、第２の方法を採用することができる。
【０１６４】
あるいは、移動局１００およびＬＴＥ−Ａ基地局３００のいずれが、上述した２種類のＣｏＭＰのうち、いずれか一方の機能しか有していない場合も想定される。このような場合には、移動局の位置登録の際に、その機能制限に関する情報がＬＴＥ−Ａ基地局へ送信される。
【０１６５】
上述のような処理を採用することで、Ｗ−ＣＤＭＡのシステムからＬＴＥ−ＡのシステムへＩｎｔｅｒ−ＲＡＴハンドオーバをする際に、直前に実施されていたＳＨＯに関与していた少なくとも１つのセルと同じ場所に設置されていたＬＴＥ−Ａ基地局をセル測定の対象に限定することで、それ以外のＬＴＥ−Ａ基地局についてのセル測定を行なわずとも、ＣｏＭＰを実施することができる。すなわち、直前にＳＨＯを実施しているＷ−ＣＤＭＡの基地局がカバーするセルに配置されたＬＴＥ−Ａ基地局をＣｏＭＰ  Ｒｅｐｏｒｔｉｎｇ  Ｓｅｔに設定し、これらについてのフィードバックに基づいて判断を行なうことで、Ｉｎｔｅｒ−ＲＡＴハンドオーバ時におけるＣｏｍｐｒｅｓｓｅｄ  Ｍｏｄｅの時間を短縮しつつ、Ｉｎｔｅｒ−ＲＡＴハンドオーバ直後からＣｏＭＰを実施することができる。
【０１６６】
なお、図１５に示すシーケンスＳＱ１１６において、何らかの理由により、ＣｏＭＰを有効化できない場合には、図１６に示すような処理手順が実行される。すなわち、図１６を参照して、シーケンスＳＱ１１６において、Ｗ−ＣＤＭＡ方式からＬＴＥ−Ａ方式へのハンドオーバを許可するも、ＬＴＥ−Ａへのハンドオーバ後のＣｏＭＰ  Ｍｏｄｅを有効化できないと判断されると、Ｗ−ＣＤＭＡ基地局（１）は、ＣｏＭＰ  Ｍｏｄｅを開始するための要求を含まない、ハンドオーバ要求を移動局１００へ送信する（シーケンスＳＱ２１８）。移動局１００は、ハンドオーバ要求を受信すると、Ｃｏｍｐｒｅｓｓｅｄ  Ｍｏｄｅを終了する（シーケンスＳＱ２２０）。
【０１６７】
以下、図１４に示すシーケンスと実質的に同一の処理が実行される。なお、図１６においては、図１４に示すシーケンスと実質的に同一の処理については、同一符号を付している。
【０１６８】
＜Ｋ．その他の形態＞
（１）  上述したように、本実施の形態に従うＩｎｔｅｒ−ＲＡＴハンドオーバにおける処理は、所定の条件下、すなわち、（ａ）Ｗ−ＣＤＭＡ方式およびＬＴＥ−Ａ方式のセル範囲が実質的に同一、（ｂ）ハンドオーバ直前にＷ−ＣＤＭＡ方式でのＳＨＯ（ソフトハンドオーバ）が実施されていること、に向けられたものである。そのため、Ｉｎｔｅｒ−ＲＡＴハンドオーバが必要な状況であるか否か、適用可能なセル形状になっているか否か、ハンドオーバ直前にＷ−ＣＤＭＡ方式でのＳＨＯが実施されているか否かといった条件を予め判断しておき、図１５に示すようなシーケンスを実施すべきか、あるいは、図１４に示すようなシーケンスを実施すべきかを判断してもよい。
【０１６９】
（２）  上述の実施の形態においては、１つのセルあたり各方式の基地局（Ｗ−ＣＤＭＡ方式およびＬＴＥ−Ａ方式）が１つずつ配置される形態について例示したが、１つのセルを複数のセクタに分割して、セクタ単位で上述のような方法を実施してもよい。すなわち、各基地局に対して、異なる指向性を有するアンテナを複数備えることで、１つのセルを複数のセクタと呼ばれる単位に分割することができる。
【０１７０】
このような場合、１つのセクタを上述した１つのセルと同様に扱うことができる。さらに、非特許文献４に記載されているように、ＬＴＥ−Ａの開始時であるＲｅｌ−１０ではセルを跨るＣｏＭＰ（Ｉｎｔｅｒ−ｅＮＢ）については実施せず、セル内のセクタ間のＣｏＭＰ（Ｉｎｔｒａ−ｅＮＢ）のみを実施してもよい。
【０１７１】
そのため、上述の実施の形態において説明したＳＨＯに関連するＷ−ＣＤＭＡ基地局として、セクタ間のハンドオーバが実施されるときにだけ、ＬＴＥ−Ａ基地局として同じセル内の１セクタとしてもよい。このとき、対応する各組のセクタは、同じ位置に配置されるだけでなく、同じ位置で、かつ、同じ指向性を有するアンテナを備えるように構成されることになる。
【０１７２】
＜Ｌ．利点＞
本実施の形態によれば、Ｗ−ＣＤＭＡ方式からＬＴＥ−Ａ方式へのＩｎｔｅｒ−ＲＡＴハンドオーバ時に、Ｗ−ＣＤＭＡ方式におけるＣｏｍｐｒｅｓｓｅｄ  ＭｏｄｅがＯＮされている時間を短縮することができる。同時に、Ｉｎｔｅｒ−ＲＡＴハンドオーバ先のＬＴＥ−Ａ方式においてＣｏＭＰ  Ｍｏｄｅを有効化した状態で通信を開始することができる。
【０１７３】
その結果、Ｃｏｍｐｒｅｓｓｅｄ  Ｍｏｄｅの一例であるＳＦ／２においては、消費電力を低減することができるとともに、他移動局への干渉量の低減できる。また、Ｃｏｍｐｒｅｓｓｅｄ  Ｍｏｄｅの他の例であるｈｉｇｈｅｒ  ｌａｙｅｒ  ｓｃｈｅｄｕｌｉｎｇにおいては、送信データ量を低減できる。
【０１７４】
さらに、ＣｏＭＰ  Ｍｏｄｅを有効化した状態で通信を開始できるので、ＣｏＭＰを実施しない場合に発生する可能性のあるエラーを低減することができる。その結果、ユーザスループットおよびセルスループットを向上させることができる。
【０１７５】
今回開示された実施の形態はすべての点で例示であって制限的なものではないと考えられるべきである。本発明の範囲は、上記した説明ではなく、請求の範囲によって示され、請求の範囲と均等の意味および範囲内でのすべての変更が含まれることが意図される。
【符号の説明】
【０１７６】
２０  ネットワーク、２１，２２，２３  交換機、３０  ゲートウェイ、４０，４４  無線ネットワーク制御装置、４２，５２，４６  制御ネットワーク、１００  移動局、１０２  送信アンテナ、１０４  受信アンテナ、１１０  筐体、１１２  切換制御部、１１４  Ｗ−ＣＤＭＡ制御部、１１６  ＬＴＥ−Ａ制御部、１１８  表示部、１２０  マイク、１２２  スピーカ、１２４  入力部、１３０  送信モジュール、１３２  Ｗ−ＣＤＭＡ送信部、１３４  ＬＴＥ−Ａ送信部、１３６，１４６  スイッチ、１４０  受信モジュール、１４２  Ｗ−ＣＤＭＡ受信部、１４４  ＬＴＥ−Ａ受信部、２００，３００  基地局、２１０  制御部、２１２  プロセッサ、２１４  メモリ、２１６  記憶部、２１８  周辺セルリスト、２２２  送信部、２２４  受信部、２３２  送信用アンテナ、２３４  受信用アンテナ、２４０  交換機インターフェイス、２５０  制御インターフェイス。
【図１】
2011152347.tif 000003
【図２】
2011152347.tif 000004
【図３】
2011152347.tif 000005
【図４】
2011152347.tif 000006
【図５】
2011152347.tif 000007
【図６】
2011152347.tif 000008
【図７】
2011152347.tif 000009
【図８】
2011152347.tif 000010
【図９】
2011152347.tif 000011
【図１０】
2011152347.tif 000012
【図１１】
2011152347.tif 000013
【図１２】
2011152347.tif 000014
【図１３】
2011152347.tif 000015
【図１４】
2011152347.tif 000016
【図１５】
2011152347.tif 000017
【図１６】
2011152347.tif 000018
【手続補正書】
【提出日】平成24年9月12日(2012.9.12)
【手続補正１】
【補正対象書類名】明細書
【補正対象項目名】０００９
【補正方法】変更
【補正の内容】
【０００９】
【非特許文献１】３ＧＰＰ  Ｏｒｇａｎｉｚａｔｉｏｎａｌ  Ｐａｒｔｎｅｒｓ，  “３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｆｕｒｔｈｅｒ  Ａｄｖａｎｃｅｍｅｎｔｓ  ｆｏｒ  Ｅ−ＵＴＲＡ  Ｐｈｙｓｉｃａｌ  Ｌａｙｅｒ  Ａｓｐｅｃｔｓ  （Ｒｅｌｅａｓｅ  ９）”，  ３ＧＰＰ  ＴＲ３６．８１４  ｖ１．５．０  （２００９−１１），  ｐｐ．１２−１６  （８．  Ｃｏｏｒｄｉｎａｔｅｄ  ｍｕｌｔｉｐｌｅ  ｐｏｉｎｔ  ｔｒａｎｓｍｉｓｓｉｏｎ  ａｎｄ  ｒｅｃｅｐｔｉｏｎ）
【非特許文献２】３ＧＰＰ  Ｏｒｇａｎｉｚａｔｉｏｎａｌ  Ｐａｒｔｎｅｒｓ，  “３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｒａｄｉｏ  Ｒｅｓｏｕｒｃｅ  Ｃｏｎｔｒｏｌ  （ＲＲＣ）；  Ｐｒｏｔｏｃｏｌ  Ｓｐｅｃｉｆｉｃａｔｉｏｎ  （Ｒｅｌｅａｓｅ  ９）”，  ３ＧＰＰ  ＴＳ２５．３３１  Ｖ９．１．０  （２００９−１２），  ｐｐ．５３−５２０  （８．  ＲＲＣ  ｐｒｏｃｅｄｕｒｅｓ）
【非特許文献３】Ｐａｎａｓｏｎｉｃ，  “ＣｏＭＰ  ｆｅｅｄｂａｃｋ  ｏｖｅｒｈｅａｄ  ｒｅｄｕｃｔｉｏｎ  ｂａｓｅｄ  ｏｎ  ｐｒｅｃｏｄｅｄ  ＲＳ”，  ３ＧＰＰ  ＴＳＧ  ＲＡＮ  ＷＧ１  Ｍｅｅｔｉｎｇ  ＃５８ｂ，  Ｒ１−０９３９４９，  Ｍｉｙａｚａｋｉ，  Ｊａｐａｎ，  １２ｔｈ−１６ｔｈ，  Ｏｃｔｏｂｅｒ，  ２００９
【非特許文献４】ＮＴＴ  ＤＯＣＯＭＯ，  “Ｅｖａｌｕａｔｉｏｎ  Ｓｃｅｎａｒｉｏｓ  ａｎｄ  Ａｓｓｕｍｐｔｉｏｎｓ  ｆｏｒ  Ｉｎｔｒａ−ｅＮＢ  ＣｏＭＰ”，  ３ＧＰＰ  Ｒ１−１００８２０
【手続補正２】
【補正対象書類名】明細書
【補正対象項目名】００１４
【補正方法】変更
【補正の内容】
【００１４】
さらに好ましくは、第２の基地局への報告方法の情報は、移動局で測定された各チャネルの情報を送信する通信方式の指定を含む。
【手続補正３】
【補正対象書類名】明細書
【補正対象項目名】００３２
【補正方法】変更
【補正の内容】
【００３２】
すなわち、図２に示す本実施の形態に従う通信システムは、移動局１００との間でＷ−ＣＤＭＡ（第１の通信方式）に従う無線通信を行なう複数の基地局２００と、移動局１００との間でＬＴＥ−Ａ（第２の通信方式）に従う無線通信を行なう複数の基地局３００とを含む。ＬＴＥ−Ａの基地局３００−１，３００−２，…，３００−Ｎは、Ｗ−ＣＤＭＡの基地局２００−１，２００−２，…，２００−Ｎとそれぞれ対応付けて配置される。対応付けられた基地局２００と基地局３００との各組においては、両基地局のセル範囲は実質的に同一となるように構成されている。
【手続補正４】
【補正対象書類名】明細書
【補正対象項目名】０１１９
【補正方法】変更
【補正の内容】
【０１１９】
なお、以下の説明では、図１４〜図１６の記載に合わせて、Ｗ−ＣＤＭＡ方式の基地局２００−１を「Ｗ−ＣＤＭＡ基地局（１）」と表現し、Ｗ−ＣＤＭＡ方式の基地局２００−２を「Ｗ−ＣＤＭＡ基地局（２）」と表現する場合もある。また、ＬＴＥ−Ａ方式の基地局３００−１を「ＬＴＥ−Ａ基地局（１）」と表現し、ＬＴＥ−Ａ方式の基地局３００−２を「ＬＴＥ−Ａ基地局（２）」と表現する場合もある。
【手続補正５】
【補正対象書類名】特許請求の範囲
【補正対象項目名】全文
【補正方法】変更
【補正の内容】
【特許請求の範囲】
【請求項１】
移動局との間で第１の通信方式に従う無線通信を行なう複数の第１の基地局と、
前記移動局との間で第２の通信方式に従う無線通信を行なう複数の第２の基地局とを備え、前記複数の第２の基地局は、前記複数の第１の基地局とそれぞれ対応付けて配置されるとともに、対応付けられた前記第１の基地局と前記第２の基地局との各組においては、両基地局のセル範囲は実質的に同一となるように構成されており、
前記移動局と２つ以上の前記第１の基地局との間での並列的な無線通信を開始するための手段と、
前記２つ以上の第１の基地局との間での並列的な無線通信の期間中において、前記移動局に対して、前記２つ以上の第１の基地局のうち１つに対応付けられた第２の基地局を指定するとともに、前記第１の通信方式に従う無線通信を一時的に中断して当該指定した第２の基地局についての測定を要求するための手段と、
前記指定した第２の基地局についての測定結果に基づいて、前記第１の通信方式から前記第２の通信方式へのハンドオーバを前記移動局へ通知するとともに、前記指定した第２の基地局を含む２つ以上の前記第２の基地局が協調して前記移動局との間で通信を行なう協調モードを開始するための要求を前記移動局へ通知するための手段とを備える、通信システム。
【請求項２】
前記協調モードを開始するための要求は、前記２つ以上の第２の基地局についての測定結果の前記第２の基地局への報告方法の情報を含む、請求項１に記載の通信システム。
【請求項３】
前記第２の基地局への報告方法の情報は、前記移動局で測定された各チャネルの情報を送信する通信方式の指定を含む、請求項２に記載の通信システム。
【請求項４】
前記２つ以上の第２の基地局についての測定結果に基づいて、当該２つ以上の第２の基地局が協調して通信を行なうことができる複数の形態のうち、いずれか１つを選択する手段をさらに備える、請求項１〜３のいずれか１項に記載の通信システム。
【請求項５】
前記２つ以上の第１の基地局との間での並列的な無線通信の期間中において、前記移動局において測定される前記２つ以上の第１の基地局についての測定結果に基づいて、前記第１の通信方式から前記第２の通信方式へのハンドオーバの要否を判断する手段をさらに備える、請求項１〜４のいずれか１項に記載の通信システム。
【請求項６】
前記移動局は、前記第１の通信方式から前記第２の通信方式へのハンドオーバが通知されると、前記第１の通信方式に従う無線通信を一時的に中断する動作を終了する、請求項１〜５のいずれか１項に記載の通信システム。
【請求項７】
前記２つ以上の第１の基地局との間での並列的な無線通信におけるサービングセルである第１の基地局に対応付けられた第２の基地局が指定される、請求項１〜３のいずれか１項に記載の通信システム。
【請求項８】
移動局との間で第１の通信方式に従う無線通信を行なう複数の第１の基地局と、前記移動局との間で第２の通信方式に従う無線通信を行なう複数の第２の基地局とを備えた通信システムにおける通信方法であって、前記複数の第２の基地局は、前記複数の第１の基地局とそれぞれ対応付けて配置されるとともに、対応付けられた前記第１の基地局と前記第２の基地局との各組においては、両基地局のセル範囲は実質的に同一となるように構成されており、前記通信方法は、
前記移動局と２つ以上の前記第１の基地局との間での並列的な無線通信を開始するステップ（ＳＱ１００）と、
前記第１の基地局が、前記２つ以上の第１の基地局との間での並列的な無線通信の期間中において、前記移動局に対して、前記２つ以上の第１の基地局のうち１つに対応付けられた第２の基地局を指定するとともに、前記第１の通信方式に従う無線通信を一時的に中断して当該指定した第２の基地局についての測定を要求するステップと、
前記第１の基地局が、前記指定した第２の基地局についての測定結果を受信するステップと、
前記第１の基地局が、前記第１の通信方式から前記第２の通信方式へのハンドオーバを前記移動局へ通知するとともに、前記指定した第２の基地局を含む２つ以上の前記第２の基地局が協調して前記移動局との間で通信を行なう協調モードを開始するための要求を前記移動局へ通知するステップとを備える、通信方法。
【国際調査報告】
2011152347.tif 000019
2011152347.tif 000020